(57)【特許請求の範囲】
【請求項１】
それぞれ放送信号を受信して該放送信号に係る映像信号および音声信号を得る複数の受信部と、
上記複数の受信部でそれぞれ得られた映像信号および音声信号を選択的に取り出す第１の信号切換部と、
上記第１の信号切換部で取り出された上記映像信号による画像を表示する表示部と、
上記第１の信号切換部で取り出された上記音声信号による音声を出力する音声出力部と、
上記複数の受信部のうちの少なくとも１つの所定の受信部で得られた映像信号および音声信号を選択的に取り出す第２の信号切換部と、
上記第２の信号切換部で取り出された上記映像信号および上記音声信号を出力する出力端子部と、
モニター操作手段と、
上記モニター操作手段が操作されるとき、所定時間の間、上記第２の信号切換部で取り出されている上記映像信号および上記音声信号と同じ映像信号および音声信号を、上記第１の信号切換部で取り出すように制御して出力モニター状態とする制御手段と、
上記複数の受信部のうちの少なくとも１つの所定の受信部における電源入固定およびチャネル固定の固定入切の設定操作のための固定操作手段と、
上記出力モニター状態で、上記固定操作手段が操作される場合であって、上記第２の信号切換部で取り出し可能な上記映像信号および上記音声信号を得る上記複数の受信部のうちの少なくとも１つの所定の受信部が、電源入固定およびチャネル固定の固定入の状態にあるときには、上記電源入固定およびチャネル固定の固定入の状態を解除する固定制御手段とを備える、テレビ受信機。
【請求項２】
上記出力モニター状態で、上記出力端子部に出力されている上記映像信号および上記音声信号に係る情報を上記表示部に表示する表示制御手段をさらに備える、請求項１に記載のテレビ受信機。
【請求項３】
上記情報は、上記出力端子部に出力されている上記映像信号および上記音声信号に対応する放送種類およびチャネルを示す情報である、請求項２に記載のテレビ受信機。
【請求項４】
上記情報は、上記出力端子部に出力されている上記映像信号および上記音声信号を得ている上記受信部が電源入固定およびチャネル固定の固定入の状態にあるとき、その旨を示す情報である、請求項２に記載のテレビ受信機。
【請求項５】
上記音声出力部より音声が出力されないようにする音声消去部をさらに備え、
上記制御手段は、上記音声消去部の動作状態にあって上記音声出力部より音声が出力されていない状態で、上記モニター操作手段が操作されるとき、上記所定時間の間、上記音声消去部を非動作状態とする、請求項１に記載のテレビ受信機。
【請求項６】
上記表示部に画像が表示されないようにする画像消去部をさらに備え、
上記制御手段は、上記画像消去部の動作状態にあって上記表示部に画像が表示されていない状態で、上記モニター操作手段が操作されるとき、上記所定時間の間、上記画像消去部を非動作状態とする、請求項１に記載のテレビ受信機。
【請求項７】
上記固定制御手段で上記電源入固定およびチャネル固定の固定入の状態を解除するとき、上記制御手段は、上記第１の信号切換部で、解除されるまでは上記電源入固定およびチャネル固定の固定入の状態にあった上記受信部で得られる映像信号および音声信号を取り出すように制御する、請求項１に記載のテレビ受信機。
【請求項８】
前記固定制御手段は、上記出力モニター状態で上記固定操作手段が操作される場合であって、上記第２の信号切換部で取り出し可能な上記映像信号および音声信号を得る上記複数の受信部のうちの少なくとも１つの所定の受信部が、電源入固定およびチャネル固定の固定入の状態にないとき、上記出力端子部に出力される映像信号および音声信号が特定の受信部で得られたものであるときには、上記特定の受信部を上記電源入固定およびチャネル固定の固定入の状態とし、逆に上記出力端子部に出力される映像信号および音声信号が特定の受信部で得られたものでないときには、上記特定の受信部を除く他の受信部を上記電源入固定およびチャネル固定の固定入の状態とする、請求項１に記載のテレビ受信機。
【請求項９】
上記制御手段は、
上記出力モニター状態で上記モニター操作手段が操作されるとき、特定の受信部で得られる上記映像信号および上記音声信号を、上記第１の信号切換部で取り出すように制御して特定出力モニター状態とする、請求項１に記載のテレビ受信機。
【請求項１０】
上記第２の信号切換部と上記出力端子部との間に挿入される消去回路と、
予約スタンバイモードに設定するモード設定手段と、
上記モード設定手段で上記予約スタンバイモードに設定されるとき、上記消去回路を動作状態として上記第２の信号切換部で取り出される少なくとも上記映像信号を上記出力端子部に供給しないように制御する予約スタンバイ制御部と、
上記表示部に画像が表示されないようにする画像消去部とをさらに備え、
上記モード設定手段により上記予約スタンバイモードに設定されているとき、上記出力モニター状態で、上記画像消去部を動作状態とする、請求項１に記載のテレビ受信機。
【請求項１１】
上記第２の信号切換部と上記出力端子部との間に挿入される消去回路と、
予約スタンバイモードに設定するモード設定手段と、
上記モード設定手段で上記予約スタンバイモードに設定されるとき、上記消去回路を動作状態として上記第２の信号切換部で取り出される少なくとも上記映像信号を上記出力端子部に供給しないように制御する予約スタンバイ制御部とをさらに備え、
上記表示制御手段は、上記モード設定手段により上記予約スタンバイモードに設定されているとき、上記表示部に上記予約スタンバイモードにある旨を表示する、請求項２に記載のテレビ受信機。
【請求項１２】
チャネル切換操作手段と、
上記モニター状態で、上記チャネル切換キーが操作されるとき、上記出力端子部に出力されている上記映像信号および上記音声信号を得ている上記受信部における受信チャネルの切り換えを制御するチャネル切換制御部とをさらに備える、請求項１に記載のテレビ受信機。
【請求項１３】
上記複数の受信部は、地上波放送受信部、ＢＳ放送受信部およびＣＳ放送受信部であり、
上記第２の信号切換部で取り出しが可能な上記映像信号および上記音声信号を得る受信部は、上記ＢＳ放送受信部および上記ＣＳ放送受信部である、請求項１に記載のテレビ受信機。
【発明の詳細な説明】
【０００１】
【発明の属する技術分野】
この発明は、例えば地上波放送の他に、ＢＳ放送、ＣＳ放送等を受信し得るテレビ受信機に関する。詳しくは、裏録画等のための出力端子部を備えており、モニター操作手段を操作するのみで、その出力端子部の出力状態を所定時間だけモニター可能とすることによって、ユーザのモニター時の操作手間を軽減しようとしたテレビ受信機に係るものである。
【０００２】
【従来の技術】
例えば、ＢＳ（Broadcasting Satellite）放送受信部を有するテレビ受信機では、従来より、ＢＳ放送の裏録画等のためにＢＳ固定機能を備えている。このＢＳ固定機能は、希望のＢＳチャネルを受信してから、ＢＳ固定キーで、ＢＳチャネル固定およびＢＳ電源入固定の状態とする機能である。このような状態でテレビ受信機の電源をオフしても、出力端子部には、希望のＢＳチャネルに係る映像信号および音声信号が出力される。
【０００３】
また例えば、ＢＳ放送受信部およびＣＳ（Communication Satellite)放送受信部を有するテレビ受信機では、ＢＳチャネルまたはＣＳチャネルを受信してから、固定キーで、ＢＳチャネル固定、ＢＳ電源入固定、あるいはＣＳチャネル固定、ＣＳ電源入固定の状態とする、固定機能を備えることが考えられる。
【０００４】
【発明が解決しようとする課題】
上述したようにＢＳ放送受信部およびＣＳ放送受信部を有するテレビ受信機においては、裏録画等のために出力端子部に出力されている映像信号および音声信号をモニターして確認したい場合がある。
【０００５】
そのため、従来この出力端子部の出力状態をモニターする機能を持つテレビ受信機が提案されている。しかし、このテレビ受信機では、一旦モニター状態となるとそのモニター状態を継続するものであり、ユーザは元の視聴状態に戻すための操作を行う必要があり、煩わしいものであった。
【０００６】
そこで、この発明では、裏録画等のために出力端子部における出力をモニターする際のユーザの操作手間を軽減し得るテレビ受信機を提供することを目的とする。
【０００７】
【課題を解決するための手段】
この発明に係るテレビ受信機は、それぞれ放送信号を受信して該放送信号に係る映像信号および音声信号を得る複数の受信部と、上記複数の受信部でそれぞれ得られた映像信号および音声信号を選択的に取り出す第１の信号切換部と、上記第１の信号切換部で取り出された上記映像信号による画像を表示する表示部と、上記第１の信号切換部で取り出された上記音声信号による音声を出力する音声出力部と、上記複数の受信部のうちの少なくとも１つの所定の受信部で得られた映像信号および音声信号を選択的に取り出す第２の信号切換部と、上記第２の信号切換部で取り出された上記映像信号および上記音声信号を出力する出力端子部と、モニター操作手段と、上記モニター操作手段が操作されるとき、所定時間の間、上記第２の信号切換部で取り出されている上記映像信号および上記音声信号と同じ映像信号および音声信号を、上記第１の信号切換部で取り出すように制御して出力モニター状態とする制御手段と、上記複数の受信部のうちの少なくとも１つの所定の受信部における電源入固定およびチャネル固定の固定入切の設定操作のための固定操作手段と、上記出力モニター状態で、上記固定操作手段が操作される場合であって、上記第２の信号切換部で取り出し可能な上記映像信号および上記音声信号を得る上記複数の受信部のうちの少なくとも１つの所定の受信部が、電源入固定およびチャネル固定の固定入の状態にあるときには、上記電源入固定およびチャネル固定の固定入の状態を解除する固定制御手段とを備えるものである。
【０００８】
この発明においては、複数の受信部、例えば地上波放送受信部、ＢＳ放送受信部およびＣＳ放送受信部を備えている。そして、この複数の受信部でそれぞれ得られた映像信号および音声信号が第１の信号切換部で選択的に取り出されることで、その取り出された映像信号および音声信号による画像や音声の視聴状態となる。
【０００９】
また、複数の受信部の一部または全部、例えばＢＳ放送受信部およびＣＳ放送受信部でそれぞれ得られた映像信号および音声信号が第１の信号切換部で選択的に取り出され、その取り出された映像信号および音声信号が出力端子部に出力される。この出力端子部に出力される信号が裏録画等に利用されることとなる。
【００１０】
ユーザがモニター操作手段の操作、例えばモニターキーの押し下げをすると、所定時間（例えば５秒間）の間、出力端子部に出力されていると同じ映像信号および音声信号が第１の信号切換部で取り出され、それによる画像や音声の視聴状態（出力モニター状態）となる。
【００１１】
このように、ユーザは、モニター操作手段を操作するのみで、出力モニター状態として出力端子部の出力状態を確認できる。また、所定時間後には元の視聴状態に自動的に戻るため、ユーザは、元の視聴状態に戻す操作をしなくてもよい。
【００１２】
【発明の実施の形態】
以下、図面を参照しながら、この発明の実施の形態について説明する。図１は、実施の形態としてのＢＳ放送受信部およびＣＳ放送受信部を有するテレビ受信機１００を示している。
【００１３】
このテレビ受信機１００は、ＣＰＵ（Central Processing Unit)を備え、受信機全体の動作を制御するための制御部１０１を有している。この制御部１０１には、日付や時刻等の情報を得る時計部１０２と、制御部１０１の動作に伴って生成されるデータ等を記憶するメモリ１０３と、ユーザ操作のための複数の入力キー等が配された操作部１０４と、リモコン送信機（図示せず）からの例えば赤外線によるリモートコントロール信号を受信するリモコン信号受信部１０５と、後述するＣＳ／ＢＳ出力端子にＣＳ放送に係る映像信号や音声信号が出力されているとき発光するＬＥＤ（Light Emitting Diode)１０６と、そのＣＳ／ＢＳ出力端子にＢＳ放送に係る映像信号や音声信号が出力されているとき発光するＬＥＤ１０７とが接続されている。
【００１４】
また、テレビ受信機１００は、地上波放送の受信アンテナ１１１と、この受信アンテナ１１１で捕らえられた複数の放送信号より希望のチャネルの放送信号を選択し、その放送信号に対応する中間周波信号を得る地上波放送チューナ１１２と、このチューナ１１２より出力される中間周波信号に対して増幅や検波をし、地上波放送に係る映像信号Ｖａ、左右の音声信号Ａla，Ａraを得る中間周波処理部１１３とを有している。
【００１５】
また、テレビ受信機１００は、ＢＳ放送の受信アンテナ（パラボラアンテナ）１１４と、この受信アンテナ１１４で捕らえられた放送信号の周波数を変換してＢＳ−ＩＦ帯に変換するＢＳ−ＬＮＢ（Low Noise Block converter）１１５と、このＬＮＢ１１５より出力される複数のＢＳ−ＩＦ信号より希望のチャネルのＢＳ−ＩＦ信号を選択して復調し、ＢＳ放送に係る映像信号Ｖｂ、左右の音声信号Ａlb，Ａrbを得るＢＳセカンドコンバータモジュール１１６と、上述したＬＮＢ１１５に電源を供給するＢＳ−ＬＮＢ電源部１１７を有している。
【００１６】
また、テレビ受信機１００は、モジュール１１６に接続されるハイビジョン用の入出力端子部１１８と、この端子部１１８に接続されるデコーダ（図示せず）で得られる映像信号Ｖｃ、左右の音声信号Ａlc，Ａrcを入力する入力端子部１１９とを有している。
【００１７】
入出力端子部１１８は、モジュール１１６よりデコーダに検波出力を供給するための検波出力端子１１８ｂ、モジュール１１６よりデコーダにビットストリームを供給するためのビットストリーム出力端子１１８ｃおよびデコーダよりモジュール１１６にＡＦＣ信号を供給するためのＡＦＣ入力端子１１８ａとからなっている。入力端子部１１９は、映像信号Ｖｃを入力するための映像入力端子１１９ａ、左音声信号Ａlcを入力するための左音声入力端子１１９ｂおよび右音声信号Ａrcを入力するための右音声入力端子１１９ｃとからなっている。
【００１８】
また、テレビ受信機１００は、ＣＳ放送の受信アンテナ（パラボラアンテナ）１２１と、この受信アンテナ１２１で捕らえられた放送信号の周波数を変換してＣＳ−ＩＦ帯に変換するＣＳ−ＬＮＢ１２２と、このＬＮＢ１２２より出力される複数のＣＳ−ＩＦ信号より希望のチャネル（ＲＦチャネル）のＣＳ−ＩＦ信号を選択して復調し、さらに復調されたビットストリーム信号より希望のチャネル（プログラム番号）のビデオデータやオーディオデータを抽出し、ＣＳ放送に係る映像信号Ｖｄおよび左右の音声信号Ａld，Ａrdを得るＣＳディジタル放送受信システム１２３とを有している。
【００１９】
なお、この受信システム１２３には、例えば放送会社等と電話回線を通じて各種情報を通信をするためのモデム１２４と、ユーザ登録番号（ＩＤ番号）やチャネルの契約、有料放送の購入状況などの情報が記憶されているＩＣカード１２５を装着するカードインタフェース１２６とが接続されている。
【００２０】
また、テレビ受信機１００は、ＣＳ出力端子部１２７を有している。このＣＳ出力端子部１２７は、映像信号を出力するための映像出力端子１２７ａ、左音声信号信号を出力するための左音声出力端子１２７ｂおよび右音声信号を出力するための右音声出力端子１２７ｃとからなっている。このＣＳ出力端子部１２７には、受信システム１２３がパワーオンモードとされるときに出力される映像信号Ｖｄおよび音声信号Ａld，Ａrdが供給される。
【００２１】
また、テレビ受信機１００は、モジュール１１６より出力される映像信号Ｖｂおよび音声信号Ａlb，Ａrbまたは入力端子部１１９に入力される映像信号Ｖｃおよび音声信号Ａlc，Ａrcを選択的に取り出す入力切換回路（ＳＷ２）１３１を有している。この場合、入力切換回路１３１のａ側の固定端子には信号Ｖｂ，Ａlb，Ａrbが供給され、そのｂ側の固定端子には信号Ｖｃ，Ａlc，Ａrcが供給される。
【００２２】
また、テレビ受信機１００は、中間周波処理部１１３より出力される映像信号Ｖａおよび音声信号Ａla，Ａra、受信システム１２３より出力される映像信号Ｖｄおよび音声信号Ａld，Ａrd、または入力切換回路１３１で取り出される信号（映像信号および音声信号）Ｓ２を、選択視聴画面用の信号（映像信号および音声信号）Ｓ１として、選択的に取り出す入力切換回路（ＳＷ１）１３２を有している。この場合、入力切換回路１３２のｃ側の固定端子には信号Ｖａ，Ａla，Ａraが供給され、そのｄ側の固定端子には信号Ｖｄ，Ａld，Ａrdが供給され、さらにそのｅ側の固定端子には信号Ｓ２が供給される。
【００２３】
また、テレビ受信機１００は、入力切換回路１３１で取り出される信号Ｓ２または受信システム１２３より出力される映像信号Ｖｄおよび音声信号Ａld，Ａrdを、ＣＳ／ＢＳ出力用の信号（映像信号および音声信号）Ｓ３として、選択的に取り出す入力切換回路（ＳＷ３）１３３を有している。この場合、入力切換回路１３３のｆ側の固定端子には信号Ｓ２が供給され、そのｇ側の固定端子には信号Ｖｄ，Ａld，Ａrdが供給される。
【００２４】
また、テレビ受信機１００は、入力切換回路１３２で取り出される信号Ｓ１のうち、映像信号が入力され、その映像信号より輝度信号および色信号を分離する処理、分離された輝度信号を増幅する処理、分離された色信号を復調して色差信号を得る処理、さらには輝度信号および色差信号より３原色信号を得るマトリックス処理等をする映像処理部１３４と、この映像信号処理部１３４より出力される３原色信号が供給され、それによる画像を表示する表示部１３５とを有している。例えば、表示部１３５としては、陰極線管、またはＬＣＤ（Liquid Crystal
Display）等のフラットディスプレイが使用される。
【００２５】
また、テレビ受信機１００は、入力切換回路１３２で取り出される信号Ｓ１のうち、左右の音声信号が入力され、それらの音声信号を増幅する音声増幅部１３６と、この音声増幅部１３６で増幅された左右の音声信号による音声を出力するスピーカを備えてなる音声出力部１３７を有している。
【００２６】
また、テレビ受信機１００は、表示部１３５で表示される画像上に文字表示を行うための表示信号ＳＣＨを発生するＯＳＤ（On Screen Display）処理回路１４１を有している。このＯＳＤ処理回路１４１は、制御部１０１より供給される表示データに基づいて表示信号ＳＣＨを発生し、この表示信号ＳＣＨは映像処理部１３４に供給されて映像信号に係る３原色信号に合成される。
【００２７】
また、テレビ受信機１００は、映像処理部１３４より出力される３原色信号をミューティングするための映像消去回路１４２と、音声増幅部１３６の増幅率を変化させる等して出力音量を制御する音量制御回路１４３とを有している。映像消去回路１４２の動作は制御部１０１によって制御されるが、この映像消去回路１４２は消画機能などに用いられる。同様に、音量制御回路１４３の動作は制御部１０１によって制御されるが、この音量制御回路１４３は消音機能などにも用いられる。
【００２８】
また、テレビ受信機１００は、入力切換回路１３３で取り出される信号Ｓ３を裏録画用として出力するＣＳ／ＢＳ出力端子部１５１と、入力切換回路１３３と出力端子部１５１との間に挿入され、ＶＣＲ（Video Cassette Recorder）の簡単予約録画を行うために、制御部１０１の制御のもと、少なくとも映像信号をミューティングする消去回路１５２とを有している。出力端子部１５１は、映像信号を出力するための映像出力端子１５１ａ、左音声信号を出力するための左音声出力端子１５１ｂおよび右音声信号を出力するための右音声出力端子１５１ｃとからなっている。
【００２９】
上述した構成において、地上波放送チューナ１１２、中間周波処理部１１３、入力切換回路１３２、映像処理部１３４、表示部１３５、音声増幅部１３６、音声出力部１３７、ＯＳＤ処理回路１４１、映像消去回路１４２および音量制御回路１４３は、電源供給単位としてのＡブロックを構成している。また、ＢＳセカンドコンバータモジュール１１６およびＢＳ−ＬＮＢ電源部１１７は、電源供給単位としてのＢブロックを構成している。また、ＣＳディジタル放送受信システム１２３、モデム１２４およびカードインタフェース１２６は、電源供給単位としてのＣブロックを構成している。なお、ＣＳ−ＬＮＢ１２２の電源は、ＣＳディジタル放送受信システム１２３を通して供給される。さらに、入力切換回路１３１，１３３および消去回路１５２は、電源供給単位としてのＤブロックを構成している。
【００３０】
なお、制御ラインを省略している部分もあるが、地上波放送チューナ１１２、モジュール１１６および受信システム１２３の動作は制御部１０１によって制御され、また入力切換回路１３１，１３２，１３３の切換動作も制御部１０１によって制御される。
【００３１】
また、テレビ受信機１００は、商用交流電圧（例えばＡＣ１００Ｖ）を入力する電源プラグ１６１と、この電源プラグ１６１に入力される交流電圧より上述したＡブロックの電源として供給する直流電圧を得るメイン電源部１６２と、電源プラグ１６１とメイン電源部１６２との間に挿入されたメイン電源スイッチとしての接続スイッチ（ＳＷ１１）１６３とを有している。接続スイッチ１６３のオンオフ動作は、制御部１０１によって制御される。
【００３２】
また、テレビ受信機１００は、電源プラグ１６１に入力される交流電圧より制御部１０１および上述したＢブロックのＢＳ−ＬＮＢ電源部１１７に電源としてそれぞれ供給するための直流電圧を得ると共に、後述するＤブロック電源部およびＢＳ電源部に供給するための直流電圧を得るサブ電源部１６４と、このサブ電源部１６４とＢＳ−ＬＮＢ電源部１１７との間に挿入された接続スイッチ（ＳＷ１２）１６５とを有している。接続スイッチ１６５のオンオフ動作は、制御部１０１によって制御される。
【００３３】
なお、サブ電源部１６４と制御部１０１との間には接続スイッチは挿入されておらず、従って制御部１０１では、接続スイッチ（メイン電源スイッチ）１６３がオフの状態にあっても、リモコン信号受信部１０５で受信されたリモコン信号による操作または操作部１０４による操作を常に受け付けることができる。
【００３４】
また、テレビ受信機１００は、サブ電源部１６４からの直流電圧が入力され、上述したＢブロックのモジュール１１６に電源として供給する種々の電圧値の直流電圧を得るＢＳ電源部１６６と、サブ電源部１６４とＢＳ電源部１６６との間に挿入された接続スイッチ（ＳＷ１４）１６７と、サブ電源部１６４からの直流電圧が入力され、上述したＤブロックに電源として供給する種々の電圧値の直流電圧を得るＤブロック電源部１６８と、サブ電源部１６４とＤブロック電源部１６８との間に挿入された接続スイッチ（ＳＷ１３）１６９とを有している。接続スイッチ１６７，１６９のオンオフ動作は、制御部１０１によって制御される。
【００３５】
また、テレビ受信機１００は、電源プラグ１６１に入力される交流電圧よりＣブロックに電源として供給する直流電圧を得るためのＣＳ／ＣＳ−ＬＮＢ電源部１７０とを有している。
【００３６】
次に、図１に示すテレビ受信機１００の動作を説明する。
電源スイッチ１６３がオフの状態で、ユーザ操作（ユーザのリモコン送信機による操作あるいは操作部１０４の操作）により電源オンの指示があると、制御部１０１の制御によって接続スイッチ１６３がオンとされ、それに伴ってメイン電源部１６２よりＡブロックに電源が供給される。これにより、表示部１３５に入力切換回路１３２で取り出された信号Ｓ１に係る画像が表示されると共に、音声出力部１３７よりその信号Ｓ１に係る音声が出力される。
【００３７】
ここで、ユーザ操作で地上波放送が選択される場合には、中間周波処理部１１３より、ユーザ操作で選択されたチャネルに係る映像信号Ｖａおよび音声信号Ａla，Ａraが出力されると共に、入力切換回路１３２はｃ側に切り換えられる。そのため、表示部１３５には選択された地上波放送のチャネルの画像が表示され、音声出力部１３７よりそのチャネルの音声が出力される。
【００３８】
このように地上波放送が選択される場合、ＢＳ固定切、ＣＳ固定切の状態にあるときは、Ｂブロックに電源が供給され、入力切換回路１３３はｆ側に接続され、ＣＳ／ＢＳ出力端子部１５１には、ＢＳ放送のラストチャネルに係る映像信号および音声信号が出力される。入力切換回路１３１は、ラストチャネルによってａ側あるいはｂ側に接続される。なおこのとき、受信システム１２３はパワーオフモードとされるので、受信システム１２３より映像信号および音声信号は出力されない。なお、受信システム１２３は、パワーオフモードであっても、少なくともモデム１２４およびカードインタフェース１２６の制御を行うことができる。
【００３９】
また、地上波放送が選択される場合、ＢＳ固定入、ＣＳ固定切の状態にあるときは、Ｂブロックに電源が供給され、入力切換回路１３３はｆ側に接続され、ＣＳ／ＢＳ出力端子部１５１には、ＢＳ放送の固定チャネルに係る映像信号および音声信号が出力される。入力切換回路１３１は、固定チャネルによってａ側あるいはｂ側に接続される。なおこのとき、受信システム１２３はパワーオフモードとされるので、受信システム１２３より映像信号および音声信号は出力されない。
【００４０】
また、地上波放送が選択される場合、ＢＳ固定切、ＣＳ固定入の状態にあるときは、受信システム１２３はパワーオンモードとされ、入力切換回路１３３はｇ側に接続され、ＣＳ／ＢＳ出力端子部１５１には、ＣＳ放送の固定チャネルに係る映像信号および音声信号が出力される。なおこのとき、Ｂブロックに電源は供給されず、モジュール１１６より映像信号および音声信号は出力されない。なお、ＢＳ−ＬＮＢ電源部１１７については、接続スイッチ（ＳＷ１２）１６５を制御部１０１で制御することにより、電源を供給したままとすることができる。
【００４１】
また、地上波放送が選択される場合、ＢＳ固定入、ＣＳ固定入の状態にあるときは、Ｂブロックに電源が供給され、入力切換回路１３３はｆ側に接続され、ＣＳ／ＢＳ出力端子部１５１には、ＢＳ放送の固定チャネルに係る映像信号および音声信号が出力される。入力切換回路１３１は、固定チャネルによってａ側あるいはｂ側に接続される。このとき、受信システム１２３はパワーオンモードとされ、受信システム１２３よりＣＳ放送の固定チャネルに係る映像信号および音声信号が出力される。
【００４２】
次に、ユーザ操作でＢＳ放送が選択される場合には、Ｂブロックに電源が供給され、入力切換回路１３１よりＢＳ放送に係る映像信号および音声信号が出力されると共に、入力切換回路１３２はｅ側に切り換えられる。そのため、表示部１３５にはＢＳ放送の映像信号による画像が表示され、音声出力部１３７よりそのチャネルの音声信号による音声が出力される。
【００４３】
このようにＢＳ放送が選択される場合、ＢＳ固定切、ＣＳ固定切の状態にあるときは、モジュール１１６はユーザ操作で選択されたチャネルの選局状態となり、入力切換回路１３１からはそのチャネルに係る映像信号および音声信号が取り出される。したがって、表示部１３５には選択されたチャネルの画像が表示され、音声出力部１３７よりそのチャネルの音声が出力される。なお、入力切換回路１３１は、選択チャネルによってａ側あるいはｂ側に接続される。そしてこのとき、入力切換回路１３３はｆ側に接続され、ＣＳ／ＢＳ出力端子部１５１には、ＢＳ放送の選択されたチャネルに係る映像信号および音声信号が出力される。なおこのとき、受信システム１２３はパワーオフモードとされるので、受信システム１２３より映像信号および音声信号は出力されない。
【００４４】
また、ＢＳ放送が選択される場合、ＢＳ固定入、ＣＳ固定切の状態にあるときは、モジュール１１６は、ＢＳ放送の固定チャネルの選局状態に固定され、入力切換回路１３１からはそのチャネルに係る映像信号および音声信号が取り出される。したがって、表示部１３５にはＢＳ放送の固定チャネルの画像が表示され、音声出力部１３７よりそのチャネルの音声が出力される。なお入力切換回路１３１は、固定チャネルによってａ側あるいはｂ側に接続される。またこのとき、入力切換回路１３３はｆ側に接続され、ＣＳ／ＢＳ出力端子部１５１には、ＢＳ放送の固定チャネルに係る映像信号および音声信号が出力される。なおこのとき、受信システム１２３はパワーオフモードとされるので、受信システム１２３より映像信号および音声信号は出力されない。
【００４５】
また、ＢＳ放送が選択される場合、ＢＳ固定切、ＣＳ固定入の状態にあるときは、モジュール１１６はユーザ操作で選択されたチャネルの選局状態となり、入力切換回路１３１からはそのチャネルに係る映像信号および音声信号が取り出される。したがって、表示部１３５には選択されたチャネルの画像が表示され、音声出力部１３７よりそのチャネルの音声が出力される。またこのとき、Ｃブロックに電源が供給され、入力切換回路１３３はｇ側に接続され、ＣＳ／ＢＳ出力端子部１５１には、ＣＳ放送の固定チャネルに係る映像信号および音声信号が出力される。
【００４６】
また、ＢＳ放送が選択される場合、ＢＳ固定入、ＣＳ固定入の状態にあるときは、モジュール１１６は、ＢＳ放送の固定チャネルの選局状態に固定され、入力切換回路１３１からはそのチャネルに係る映像信号および音声信号が取り出される。したがって、表示部１３５にはＢＳ放送の固定チャネルの画像が表示され、音声出力部１３７よりそのチャネルの音声が出力される。またこのとき、入力切換回路１３３はｆ側に接続され、ＣＳ／ＢＳ出力端子部１５１にはＢＳ放送の固定チャネルに係る映像信号および音声信号が出力される。なおこのとき、受信システム１２３はパワーオンモードとされるので、受信システム１２３よりＣＳ放送の固定チャネルに係る映像信号および音声信号が出力される。
【００４７】
次に、ユーザ操作でＣＳ放送が選択される場合には、受信システム１２３はパワーオンモードとされ、入力切換回路１３２はｄ側に切り換えられる。そのため、表示部１３５にはＣＳ放送の映像信号による画像が表示され、音声出力部１３７よりそのチャネルの音声信号による音声が出力される。
【００４８】
このようにＣＳ放送が選択される場合、ＢＳ固定切、ＣＳ固定切の状態にあるときは、受信システム１２３はユーザ操作で選択されたチャネル（プログラム番号）の選局状態となる。したがって、表示部１３５には選択されたチャネルの画像が表示され、音声出力部１３７よりそのチャネルの音声が出力される。そしてこのとき、入力切換回路１３３はｇ側に接続され、ＣＳ／ＢＳ出力端子部１５１には、ＣＳ放送の選択されたチャネルに係る映像信号および音声信号が出力される。なおこのとき、Ｂブロックに電源は供給されず、モジュール１１６より映像信号および音声信号は出力されない。
【００４９】
また、ＣＳ放送が選択される場合、ＢＳ固定入、ＣＳ固定切の状態にあるときは、受信システム１２３はユーザ操作で選択されたチャネル（プログラム番号）の選局状態となる。したがって、表示部１３５には選択されたチャネルの画像が表示され、音声出力部１３７よりそのチャネルの音声が出力される。そしてこのとき、Ｂブロックに電源が供給され、モジュール１１６はＢＳ放送の固定チャネルの選局状態に固定され、入力切換回路１３３はｆ側に接続される。したがって、ＣＳ／ＢＳ出力端子部１５１には、ＢＳ放送の固定チャネルに係る映像信号および音声信号が出力される。
【００５０】
また、ＣＳ放送が選択される場合、ＢＳ固定切、ＣＳ固定入の状態にあるときは、受信システム１２３はＣＳ放送の固定チャネル（プログラム番号）の選局状態となる。したがって、表示部１３５にはＣＳ放送の固定チャネルの画像が表示され、音声出力部１３７よりそのチャネルの音声が出力される。そしてこのとき、入力切換回路１３３はｇ側に接続され、ＣＳ／ＢＳ出力端子部１５１には、ＣＳ放送の固定チャネルに係る映像信号および音声信号が出力される。なおこのとき、Ｂブロックに電源は供給されず、モジュール１１６より映像信号および音声信号は出力されない。
【００５１】
また、ＣＳ放送が選択される場合、ＢＳ固定入、ＣＳ固定入の状態にあるときは、受信システム１２３はＣＳ放送の固定チャネル（プログラム番号）の選局状態となる。したがって、表示部１３５にはＣＳ放送の固定チャネルの画像が表示され、音声出力部１３７よりそのチャネルの音声が出力される。そしてこのとき、Ｂブロックに電源が供給され、モジュール１１６はＢＳ放送の固定チャネルの選局状態に固定され、入力切換回路１３３はｆ側に接続される。したがって、ＣＳ／ＢＳ出力端子部１５１には、ＢＳ放送の固定チャネルに係る映像信号および音声信号が出力される。
【００５２】
次に、電源スイッチ１６３がオフの状態で、メイン電源オフ時の動作を説明する。この場合、Ａブロックに電源が供給されないことから、表示部１３５には画像は表示されず、音声出力部１３７より音声は出力されない。
【００５３】
このようなメイン電源オフ時に、ＢＳ固定切、ＣＳ固定切の状態にあるときは、Ｂブロック、さらにはＤブロックに電源は供給されず、受信システム１２３はパワーオフモードとされ、モジュール１１６および受信システム１２３より映像信号および音声信号は出力されず、またＣＳ／ＢＳ出力端子部１５１には映像信号および音声信号は出力されない。
【００５４】
また、メイン電源オフ時に、ＢＳ固定入、ＣＳ固定切の状態にあるときは、Ｂブロックに電源が供給されてモジュール１１６はＢＳ放送の固定チャネルの選局状態となると共に、Ｄブロックに電源が供給され入力切換回路１３３はｆ側に接続される。入力切換回路１３１は、ＢＳ放送の固定チャネルによってａ側あるいはｂ側に接続される。したがって、ＣＳ／ＢＳ出力端子部１５１には、ＢＳ放送の固定チャネルに係る映像信号および音声信号が出力される。
【００５５】
また、メイン電源オフ時に、ＢＳ固定切、ＣＳ固定入の状態にあるときは、受信システム１２３はパワーオンモードとされて受信システム１２３はＣＳ放送の固定チャネルの選局状態となると共に、Ｄブロックに電源が供給されて入力切換回路１３３はｇ側に接続される。したがって、ＣＳ／ＢＳ出力端子部１５１には、ＣＳ放送の固定チャネルに係る映像信号および音声信号が出力される。
【００５６】
また、メイン電源オフ時に、ＢＳ固定入、ＣＳ固定入の状態にあるときは、Ｂブロックに電源が供給されてモジュール１１６はＢＳ放送の固定チャネルの選局状態となると共に、Ｄブロックに電源が供給され入力切換回路１３３はｆ側に接続される。したがって、ＣＳ／ＢＳ出力端子部１５１には、ＢＳ放送の固定チャネルに係る映像信号および音声信号が出力される。またこのとき、受信システム１２３は、パワーオンモードとされ、ＣＳ放送の固定チャネルの選局状態となる。
【００５７】
図２は、上述した、メイン電源オン時の各放送の選択時における選択視聴画面やＣＳ／ＢＳ出力端子部１５１への出力状態およびＣＳ出力端子部１２７への出力状態と、メイン電源オフ時におけるＣＳ／ＢＳ出力端子部１５１への出力状態およびＣＳ出力端子部１２７への出力状態とを、まとめて示したものである。
【００５８】
次に、図３〜図１１のフローチャートを使用して、モニターキーや固定キー等が操作された場合における制御部１０１の制御動作について説明する。
【００５９】
まず、図３のフローチャートの制御動作を説明する。
メイン電源がオンとなると、ステップＳＴ１で、モニターキーの押し下げがあるか否かを判定する。モニタキーの押し下げがあるときは、ステップＳＴ２で、選択視聴画面に係る放送やチャネルの情報（選択視聴情報）をレジスタＡＶＳＥＬに記憶する。
【００６０】
次に、ステップＳＴ３で、消音オンに設定されているか否かを判定する。消音オンに設定されているときは、ステップＳＴ４で、フラグＦ_AMUTEを１とし、その後にステップＳＴ５に進む。一方、消音オンに設定されていないときは、ステップＳＴ６で、フラグＦ_AMUTEを０とし、その後にステップＳＴ５に進む。ステップＳＴ５では、消画オンに設定されているか否かを判定する。消画オンに設定されているときは、ステップＳＴ７で、フラグＦ_VMUTEを１とし、その後にステップＳＴ８に進む。一方、消画オンに設定されていないときは、ステップＳＴ９で、フラグＦ_VMUTEを０とし、その後にステップＳＴ８に進む。ステップＳＴ８では、タイマ（ＴＭＲ）を０にリセットする。ステップＳＴ２〜ステップＳＴ８の処理を、モニターメモリ処理と呼ぶ。
【００６１】
次に、ステップＳＴ１０で、ＣＳ／ＢＳ出力端子部１５１にＣＳ放送に係る信号が出力されているか否かを判定する。ＣＳ放送に係る信号が出力されているときは、ステップＳＴ１１で、入力切換回路（ＳＷ１）１３２をｄ側（ＣＳ側）に切り換え、その後にステップＳＴ１２に進む。一方、ＣＳ放送に係る信号が出力されていないときは、ステップＳＴ１３で、入力切換回路（ＳＷ１）１３２をｅ側（ＢＳ側）に切り換え、その後にステップＳＴ１２に進む。なお、ステップＳＴ１３では、Ｂブロックに電源を供給して、モジュール１１６を動作状態とする。
【００６２】
ステップＳＴ１２では、消音オフ、消画オフとして、モニター状態とする。この場合、ＯＳＤ処理回路１４１よりＣＳ／ＢＳ出力端子部１５１に出力されている映像信号および音声信号に係る放送およびチャネルを表示するための文字表示信号ＳＣＨを発生させてＯＳＤ表示をする。そして、ステップＳＴ１４で、タイマが５秒を経過したか否かを判定する。５秒を経過したときは、ステップＳＴ１５で、上述したステップＳＴ１２によるＯＳＤ表示をオフし、その後にステップＳＴ１６で、レジスタＡＶＳＥＬに記憶されている選択視聴情報に基づいて、入力切換回路（ＳＷ１）１３２の切り換えを、元の状態に戻す。
【００６３】
次に、ステップＳＴ１７で、フラグＦ_AMUTEが１であるか否かを判定する。Ｆ_AMUTE＝１であるときは、ステップＳＴ１８で、消音オンとして元の状態に戻し、その後にステップＳＴ１９に進む。一方、Ｆ_AMUTE＝０であるときは、元の状態が消音オフにあったので、消音オフの状態のまま、直ちにステップＳＴ１９に進む。
【００６４】
ステップＳＴ１９では、フラグＦ_VMUTEが１であるか否かを判定する。Ｆ_VMUTE＝１であるときは、ステップＳＴ２０で、消画オンとして元の状態に戻し、その後に処理を終了する。一方、Ｆ_VMUTE＝０であるときは、元の状態が消画オフにあったので、消画オフの状態のまま、直ちに処理を終了する。ステップＳＴ１６〜ステップＳＴ２０の処理を、モニター復帰処理と呼ぶ。
【００６５】
図１２は、図３のフローチャートに示す制御動作に係る動作例を示している。
【００６６】
消音オフおよび消画オフの状態にあり、また選択視聴画面として地上波放送（１２チャネル）が選択されている状態にあり、さらにＣＳ／ＢＳ出力端子部１５１にＢＳ放送（７チャネル）に係る映像信号および音声信号が出力されている状態にあるとき、モニターキーの押し下げがあると、ＣＳ／ＢＳ出力端子部１５１に出力されているＢＳ放送（７チャネル）のモニター状態となる。
【００６７】
つまり、入力切換回路１３２がｅ側に切り換えられ、表示部１３５にＢＳ放送（７チャネル）に係る画像が表示され、音声出力部１３７よりＢＳ放送（７チャネル）に係る音声が出力される。そしてこの場合、ＯＳＤ処理回路１４１よりＣＳ／ＢＳ出力端子部１５１にＢＳ放送（７チャネル）に係る映像信号および音声信号が出力されていることを表示するための文字表示信号ＳＣＨが発生されて映像処理部１３４に供給される。これにより、表示部１３５に表示される画像上には、例えば「CS/BS OUT BS7」の文字が表示される。
【００６８】
また、このモニター状態で、５秒が経過すると、元の視聴状態に戻る。つまり、入力切換回路１３２がｃ側に切り換えられ、表示部１３５に地上波放送（１２チャネル）に係る画像が表示され、音声出力部１３７より地上波放送（１２チャネル）に係る音声が出力される。
【００６９】
この図３に示す制御動作によれば、モニターキーの押し下げをすることで、ＣＳ／ＢＳ出力端子部１５１に出力されている映像信号および音声信号を、所定時間、例えば５秒間だけ視聴できる。また、この所定時間の後は、自動的に元の視聴状態に戻るため、ユーザ操作は不要であり、使い勝手のよいものとなる。
【００７０】
次に、図４のフローチャートの制御動作を説明する。
メイン電源がオンとなると、ステップＳＴ２１で、ＣＳ固定入に設定されているか否かを判定する。ＣＳ固定入に設定されていないときは、ステップＳＴ２２で、ＢＳ固定入に設定されているか否かを判定する。ＢＳ固定入に設定されていないときは、ステップＳＴ２３で、ＯＳＤバッファに固定切の情報を記憶し、ステップＳＴ２４に進む。
【００７１】
このステップＳＴ２４では、選択視聴画面がＣＳ放送であるか否か判定する。選択視聴画面がＣＳ放送でないときは、ステップＳＴ２５で、入力切換回路（ＳＷ３）１３３をｆ側（ＢＳ側）に切り換え、その後にステップＳＴ２６に進む。上述のステップＳＴ２２で、ＢＳ固定入に設定されているときは、ステップＳＴ２６Ａで、ＯＳＤバッファにＢＳ固定入の情報を記憶し、その後にステップＳＴ２５で、入力切換回路（ＳＷ３）１３３をｆ側（ＢＳ側）に切り換え、その後にステップＳＴ２６に進む。
【００７２】
上述のステップＳＴ２１で、ＣＳ固定入に設定されているときは、ステップＳＴ２６Ｂで、ＯＳＤバッファにＣＳ固定入の情報を記憶し、その後にステップＳＴ２６Ｃに進む。上述のステップＳＴ２４で、選択視聴画面がＣＳ放送であるときも、ステップＳＴ２６Ｃに進む。このステップＳＴ２６Ｃでは、入力切換回路（ＳＷ３）１３３をｇ側（ＣＳ側）に切り換え、その後にステップＳＴ２６に進む。
【００７３】
ステップＳＴ２６では、モニターキーの押し下げがあるか否かを判定する。モニタキーの押し下げがあるときは、ステップＳＴ２７で、モニターメモリ処理をする（図３のステップＳＴ２〜ステップＳＴ９参照）。
【００７４】
次に、ステップＳＴ２８で、ＣＳ／ＢＳ出力端子部１５１にＣＳ放送に係る信号が出力されているか否かを判定する。ＣＳ放送に係る信号が出力されているときは、ステップＳＴ２９で、入力切換回路（ＳＷ１）１３２をｄ側（ＣＳ側）に切り換え、その後にステップＳＴ３０に進む。一方、ＣＳ放送に係る信号が出力されていないときは、ステップＳＴ３１で、入力切換回路（ＳＷ１）１３２をｅ側（ＢＳ側）に切り換え、その後にステップＳＴ３０に進む。なお、ステップＳＴ３１では、Ｂブロックに電源を供給して、モジュール１１６を動作状態とする。
【００７５】
ステップＳＴ３０では、消音オフ、消画オフとして、モニター状態とする。この場合、ＯＳＤ処理回路１４１よりＣＳ／ＢＳ出力端子部１５１に出力されている映像信号および音声信号に係る放送およびチャネルを表示するための文字表示信号ＳＣＨを発生させてＯＳＤ表示をする。
【００７６】
次に、ステップＳＴ３２で、ＯＳＤ処理回路１４１より、上述したようにＯＳＤバッファに記憶されている情報に対応する文字表示信号ＳＣＨを発生させてＯＳＤ表示をする。例えば、ＯＳＤバッファに固定切、ＢＳ固定入、ＣＳ固定入の情報が記憶されている場合、画像上には、それぞれ「固定切」、「ＢＳ固定入」、「ＣＳ固定入」が表示される。
【００７７】
次に、ステップＳＴ３３で、タイマが５秒を経過したか否かを判定する。５秒を経過していないときは、ステップＳＴ３４で、固定キーの押し下げがあるか否かを判定する。固定キーの押し下げがあるときは、ステップＳＴ３５で、タイマ（ＴＭＲ）を０にリセットし、その後にステップＳＴ３６に進む。固定キーの押し下げがないときは、ステップＳＴ３３に戻る。
【００７８】
このステップＳＴ３６では、固定入（ＢＳ固定入、ＣＳ固定入の少なくともいずれか）に設定されているか否かを判定する。固定入に設定されていないときは、ステップＳＴ３７で、ＣＳ／ＢＳ出力端子部１５１にＣＳ放送に係る信号が出力されているか否かを判定する。ＣＳ放送に係る信号が出力されているときは、ステップＳＴ３８で、ＣＳ固定に設定し、ＯＳＤバッファにＣＳ固定の情報を記憶し、その後にステップＳＴ３２に戻る。一方、ＣＳ放送に係る信号が出力されていないときは、ステップＳＴ３９で、ＢＳ固定に設定し、ＯＳＤバッファにＢＳ固定の情報を記憶し、その後にステップＳＴ３２に戻る。
【００７９】
また、上述のステップＳＴ３６で、固定入に設定されているときは、ステップＳＴ４０で、固定切に設定し、ＯＳＤバッファに固定切の情報を記憶する。そして、ステップＳＴ４１で、選択視聴画面がＣＳ放送であるか否かを判定する。選択視聴画面がＣＳ放送であるときは、ステップＳＴ４２で、入力切換回路（ＳＷ３）１３３をｇ側（ＣＳ側）に切り換え、その後にステップＳＴ２８に戻る。一方、選択視聴画面がＣＳ放送でないときは、ステップＳＴ４３で、入力切換回路（ＳＷ３）１３３をｆ側（ＢＳ側）に切り換え、その後にステップＳＴ２８に戻る。
【００８０】
また、上述のステップＳＴ３３で、タイマが５秒を経過したか否かを判定する。５秒を経過したときは、ステップＳＴ４４で、上述したステップＳＴ３０、ステップＳＴ３２によるＯＳＤ表示をオフし、そしてステップＳＴ４５で、モニター復帰処理をし（図３のステップＳＴ１６〜ステップＳＴ２０の処理参照）、その後に処理を終了する。
【００８１】
図１３は、図４のフローチャートに示す制御動作に係る動作例を示している。
【００８２】
消音オフおよび消画オンの状態にあり、また選択視聴画面としてＢＳ放送（５チャネル）が選択されている状態にあり、さらにＣＳ固定入に設定されていてＣＳ／ＢＳ出力端子部１５１にＣＳ放送（２０１チャネル）に係る映像信号および音声信号が出力されている状態にあるとき、モニターキーの押し下げがあると、ＣＳ／ＢＳ出力端子部１５１に出力されているＣＳ放送（２０１チャネル）のモニター状態となる。
【００８３】
つまり、入力切換回路１３２がｄ側に切り換えられ、表示部１３５にＣＳ放送（２０１チャネル）に係る画像が表示され、音声出力部１３７よりＣＳ放送（２０１チャネル）に係る音声が出力される。そしてこの場合、ＯＳＤ処理回路１４１よりＣＳ／ＢＳ出力端子部１５１にＣＳ放送（２０１チャネル）に係る映像信号および音声信号が出力されていること、およびＣＳ放送（２０１チャネル）の固定状態にあることを表示するための文字表示信号ＳＣＨが発生されて、映像処理部１３４に供給される。これにより、表示部１３５に表示される画像上には、例えば「CS/BS OUT CS201」、「CS201 固定」の文字が表示される。
【００８４】
また、このモニター状態で、５秒が経過すると、元の視聴状態に戻る。つまり、入力切換回路１３２がｅ側に切り換えられ、表示部１３５は消画状態となり、音声出力部１３７よりＢＳ放送（５チャネル）に係る音声が出力される。
【００８５】
また、図１４は、図４のフローチャートに示す制御動作に係る動作例を示している。
【００８６】
消音オフおよび消画オフの状態にあり、また選択視聴画面として地上波放送（１２チャネル）が選択されている状態にあり、さらにＢＳ固定入に設定されていてＣＳ／ＢＳ出力端子部１５１にＢＳ放送（１１チャネル）に係る映像信号および音声信号が出力されている状態にあるとき、モニターキーの押し下げがあると、ＣＳ／ＢＳ出力端子部１５１に出力されているＢＳ放送（１１チャネル）のモニター状態となる。
【００８７】
つまり、入力切換回路１３２がｅ側に切り換えられ、表示部１３５にＢＳ放送（１１チャネル）に係る画像が表示され、音声出力部１３７よりＢＳ放送（１１チャネル）に係る音声が出力される。そしてこの場合、ＯＳＤ処理回路１４１よりＣＳ／ＢＳ出力端子部１５１にＢＳ放送（１１チャネル）に係る映像信号および音声信号が出力されていること、およびＢＳ放送（１１チャネル）の固定状態にあることを表示するための文字表示信号ＳＣＨが発生されて映像処理部１３４に供給される。これにより、表示部１３５に表示される画像上には、例えば「CS/BS OUT BS11」、「BS11 固定」の文字が表示される。
【００８８】
また、このモニター状態で、5秒が経過する前に、固定キーの押し下げがあるときは、固定切に設定されると共に、ＯＳＤ処理回路１４１より出力されているＢＳ放送（１１チャネル）の固定状態にあることを表示するための文字表示信号ＳＣＨが、固定切の設定状態にあることを表示するための文字表示信号ＳＣＨに変更され、表示部１３５に「BS11 固定」の代わりに「固定切」が表示される。
【００８９】
そして、この状態で、５秒が経過すると、元の視聴状態に戻る。つまり、入力切換回路１３２がｃ側に切り換えられ、表示部１３５には地上波放送（１２チャネル）に係る画像が表示され、音声出力部１３７より地上波放送（１２チャネル）に係る音声が出力される。
【００９０】
この図４に示す制御動作によれば、モニターキーの押し下げをすることで、ＣＳ／ＢＳ出力端子部１５１に出力されている映像信号および音声信号を視聴できる。また、表示部１３５には、ＣＳ／ＢＳ出力端子部１５１に出力されている映像信号および音声信号に係る放送種類やチャネル、さらにその固定状態もＯＳＤ表示される。したがって、ユーザは、そのＯＳＤ表示によって、放送種類やチャネル、さらに固定状態を確認できる。
【００９１】
また、モニター状態で、固定キーの押し下げをすることで、固定入から固定切に、あるいは固定切から固定入に設定できる。例えば、選択視聴画面がＣＳ放送以外であって、ＣＳ固定入が設定されている場合、固定キーの押し下げを順次行うことで、ＣＳ固定入→固定切→ＢＳ固定入→固定切→ＢＳ固定入→・・・のように変化していく。また例えば、選択視聴画面がＣＳ放送であって、ＢＳ固定入が設定されている場合、固定キーの押し下げを順次行うことで、ＢＳ固定入→固定切→ＣＳ固定入→固定切→ＣＳ固定入→・・・のように変化していく。
【００９２】
ここで、固定切に設定する場合、選択視聴画面がＣＳ放送である場合には、このＣＳ放送の視聴状態となり、一方選択視聴画面がＣＳ放送でない場合には、ＢＳ放送の視聴状態となる。
【００９３】
次に、図５のフローチャートの制御動作を説明する。
メイン電源がオンとなると、ステップＳＴ５１で、モニターキーの押し下げがあるか否かを判定する。モニタキーの押し下げがあるときは、ステップＳＴ５２で、モニターメモリ処理（図３のステップＳＴ２〜ステップＳＴ９参照）をし、その後にステップＳＴ５３に進む。
【００９４】
このステップＳＴ５３では、選択視聴画面の視聴状態にあるか否かを判定する。選択視聴画面の視聴状態にあるときは、ステップＳＴ５４で、ＣＳ／ＢＳ出力端子部１５１に出力されている映像信号および音声信号のモニター状態（ＣＳ／ＢＳ出力モニター状態）とし、その後にステップＳＴ５５に進む。
【００９５】
このステップＳＴ５５では、ＣＳ／ＢＳ出力端子部１５１にＣＳ放送に係る信号が出力されているか否かを判定する。ＣＳ放送に係る信号が出力されているときは、ステップＳＴ５６で、入力切換回路（ＳＷ１）１３２をｄ側（ＣＳ側）に切り換え、その後にステップＳＴ５７に進む。一方、ＣＳ放送に係る信号が出力されていないときは、ステップＳＴ５８で、入力切換回路（ＳＷ１）１３２をｅ側（ＢＳ側）に切り換え、その後にステップＳＴ５７に進む。なお、ステップＳＴ５８では、Ｂブロックに電源を供給して、モジュール１１６を動作状態とする。
【００９６】
ステップＳＴ５７では、消音オフ、消画オフとして、モニター状態とする。この場合、ＣＳ／ＢＳのモニター状態にあるときは、ＯＳＤ処理回路１４１よりＣＳ／ＢＳ出力端子部１５１に出力されている映像信号および音声信号に係る放送およびチャネルを示すと共に、さらには固定状態を示す文字表示信号ＳＣＨを発生させてＯＳＤ表示をする。一方、ＣＳ出力モニター状態にあるときは、ＯＳＤ処理回路１４１より、ＣＳディジタル放送受信システム１２３の受信チャネルを示すと共に、さらには固定状態を示す文字表示信号ＳＣＨを発生させてＯＳＤ表示をする。
【００９７】
次に、ステップＳＴ５９で、タイマが５秒を経過したか否かを判定する。５秒を経過したときは、ステップＳＴ６０で、上述したステップＳＴ５７によるＯＳＤ表示をオフし、そしてステップＳＴ６１で、モニター復帰処理をし（図３のステップＳＴ１６〜ステップＳＴ２０の処理参照）、その後に処理を終了する。
【００９８】
また、上述のステップＳＴ５９で、５秒が経過していないときは、ステップＳＴ６２で、モニターキーの押し下げがあるか否かを判定する。モニターキーの押し下げがあるときは、ステップＳＴ６３で、タイマを０にリセットして、ステップＳＴ５３に戻る。モニターキーの押し下げがないときは、ステップＳＴ５９に戻る。
【００９９】
また、上述のステップＳＴ５３で、選択視聴画面の視聴状態にないときは、ステップＳＴ６４で、ＣＳ／ＢＳ出力モニター状態にあるか否かを判定する。ＣＳ／ＢＳ出力モニター状態にないとき、つまりＣＳ出力モニター状態にあるときは、ステップＳＴ６０に進み、選択視聴画面の視聴状態に復帰するための処理をする。一方、ＣＳ／ＢＳ出力モニター状態にあるときは、ステップＳＴ６５で、受信システム１２３より出力されている映像信号および音声信号をモニタするＣＳ出力モニター状態とし、その後にステップＳＴ５６に進む。
【０１００】
図１５は、図５のフローチャートに示す制御動作に係る動作例を示している。
【０１０１】
消音オフおよび消画オフの状態にあり、また選択視聴画面として地上波放送（１２チャネル）が選択されている状態にあり、さらにＢＳ固定入に設定されていてＣＳ／ＢＳ出力端子部１５１にＢＳ放送（９チャネル）に係る映像信号および音声信号が出力されている状態にあるとき、モニターキーの押し下げがあると、ＣＳ／ＢＳ出力端子部１５１に出力されているＢＳ放送（９チャネル）のモニター状態となる。
【０１０２】
つまり、入力切換回路１３２がｅ側に切り換えられ、表示部１３５にＢＳ放送（９チャネル）に係る画像が表示され、音声出力部１３７よりＢＳ放送（９チャネル）に係る音声が出力される。そしてこの場合、ＯＳＤ処理回路１４１より、ＣＳ／ＢＳ出力端子部１５１にＢＳ放送（９チャネル）に係る映像信号および音声信号が出力されていること、およびＢＳ放送（９チャネル）の固定状態にあることを表示するための文字表示信号ＳＣＨが発生されて映像処理部１３４に供給される。これにより、表示部１３５に表示される画像上には、例えば「CS/BS OUT BS9」、「BS9 固定」の文字が表示される。
【０１０３】
また、このモニター状態で、5秒が経過する前に、モニターキーの押し下げがあるときは、ＣＳディジタル放送受信システム１２３より出力されるＣＳ放送（２０１チャネル）のモニター状態となる。つまり、入力切換回路１３２がｄ側に切り換えられ、表示部１３５にＣＳ放送（２０１チャネル）に係る画像が表示され、音声出力部１３７よりＣＳ放送（２０１チャネル）に係る音声が出力される。そしてこの場合、ＯＳＤ処理回路１４１より、ＣＳ出力端子部１２７にＣＳ放送（２０１チャネル）に係る映像信号および音声信号が出力されていることを表示するための文字表示信号ＳＣＨが発生されて映像処理部１３４に供給される。これにより、表示部１３５に表示される画像上には、例えば「CS OUT CS201」の文字が表示される。なお、この例のように、ＣＳ出力モニター状態においては、ＣＳ固定入およびＢＳ固定入からＣＳ固定切およびＢＳ固定入に変化したときでないときは、ＣＳ固定切およびＢＳ固定入に関する文字は制御部１０１の制御により表示しない。
【０１０４】
そして、この状態で、５秒が経過すると、元の視聴状態に戻る。つまり、入力切換回路１３２がｃ側に切り換えられ、表示部１３５には地上波放送（１２チャネル）に係る画像が表示され、音声出力部１３７より地上波放送（１２チャネル）に係る音声が出力される。
【０１０５】
この図５に示す制御動作によれば、モニターキーを押し下げることで、ＣＳ／ＢＳ出力端子部１５１に出力される映像信号および音声信号による画像や音声を視聴でき、さらにこの状態でモニターキーを押し下げることで、ＣＳディジタル放送受信システム１２３の出力信号による画像や音声を視聴できる。つまり、２系統のモニターを行うことができる。なお、入力切換回路１３１の出力信号（ＢＳ放送信号）による画像や音声をさらに視聴できるようにしてもよい。
【０１０６】
次に、図６、図７のフローチャートの制御動作を説明する。
メイン電源がオンとなると、ステップＳＴ７１で、ＣＳ固定入に設定されているか否かを判定する。ＣＳ固定入に設定されていないときは、ステップＳＴ７２で、ＢＳ固定入に設定されているか否かを判定する。ＢＳ固定入に設定されていないときは、ステップＳＴ７３で、ＣＳ固定入およびＢＳ固定入に設定されているか否かを判定する。ＣＳ固定入およびＢＳ固定入に設定されていないときは、ステップＳＴ７４で、制御部１０１に内蔵されているＯＳＤバッファに固定切の情報を記憶し、その後にステップＳＴ７５に進む。
【０１０７】
このステップＳＴ７５では、選択視聴画面がＣＳ放送であるか否か判定する。選択視聴画面がＣＳ放送でないときは、ステップＳＴ７６で、入力切換回路（ＳＷ３）１３３をｆ側（ＢＳ側）に切り換え、その後にステップＳＴ７７に進む。上述のステップＳＴ７３で、ＣＳ固定入およびＢＳ固定入に設定されているときは、ステップＳＴ７８で、ＯＳＤバッファにＣＳ固定およびＢＳ固定の情報を記憶し、その後にステップＳＴ７６で、入力切換回路（ＳＷ３）１３３をｆ側（ＢＳ側）に切り換え、その後にステップＳＴ７７に進む。
【０１０８】
上述のステップＳＴ７２で、ＢＳ固定入に設定されているときは、ステップＳＴ７９で、ＯＳＤバッファにＢＳ固定の情報を記憶し、その後にステップＳＴ７６で、入力切換回路（ＳＷ３）１３３をｆ側（ＢＳ側）に切り換え、その後にステップＳＴ７７に進む。
【０１０９】
上述のステップＳＴ７１で、ＣＳ固定入に設定されているときは、ステップＳＴ８０で、ＯＳＤバッファにＣＳ固定の情報を記憶し、その後にステップＳＴ８１に進む。上述のステップＳＴ７５で、選択視聴画面がＣＳ放送であるときも、ステップＳＴ８１に進む。このステップＳＴ８１では、入力切換回路（ＳＷ３）１３３をｇ側（ＣＳ側）に切り換え、その後にステップＳＴ７７に進む。
【０１１０】
ステップＳＴ７７では、モニターキーの押し下げがあるか否かを判定する。モニターキーの押し下げがあるときは、ステップＳＴ８２で、モニターメモリ処理（図３のステップＳＴ２〜ステップＳＴ９参照）をし、その後にステップＳＴ８３に進む。
【０１１１】
このステップＳＴ８３では、選択視聴画面の視聴状態にあるか否かを判定する。選択視聴画面の視聴状態にあるときは、ステップＳＴ８４で、ＣＳ／ＢＳ出力端子部１５１に出力されている映像信号および音声信号のモニター状態（ＣＳ／ＢＳ出力モニター状態）とし、その後にステップＳＴ８５に進む。
【０１１２】
このステップＳＴ８５では、ＣＳ／ＢＳ出力端子部１５１にＣＳ放送に係る信号が出力されているか否かを判定する。ＣＳ放送に係る信号が出力されているときは、ステップＳＴ８６で、入力切換回路（ＳＷ１）１３２をｄ側（ＣＳ側）に切り換え、その後にステップＳＴ８７に進む。一方、ＣＳ放送に係る信号が出力されていないときは、ステップＳＴ８８で、入力切換回路（ＳＷ１）１３２をｅ側（ＢＳ側）に切り換え、その後にステップＳＴ８７に進む。なお、ステップＳＴ８８では、Ｂブロックに電源を供給して、モジュール１１６を動作状態とする。
【０１１３】
ステップＳＴ８７では、消音オフ、消画オフとして、モニター状態とする。この場合、ＣＳ／ＢＳのモニター状態にあるときは、ＯＳＤ処理回路１４１より、ＣＳ／ＢＳ出力端子部１５１に出力されている映像信号および音声信号に係る放送およびチャネルを示すと共に、さらには固定状態を示す文字表示信号ＳＣＨを発生させてＯＳＤ表示をする。一方、ＣＳ出力モニター状態にあるときは、ＯＳＤ処理回路１４１より、ＣＳディジタル放送受信システム１２３の受信チャネルを示すと共に、さらには固定状態を示す文字表示信号ＳＣＨを発生させてＯＳＤ表示をする。
【０１１４】
次に、ステップＳＴ８９で、ＯＳＤ処理回路１４１より、上述したようにＯＳＤバッファに記憶されている情報に対応する文字表示信号ＳＣＨを発生させてＯＳＤ表示をする。例えば、ＯＳＤバッファに、固定切、ＢＳ固定入、ＣＳ固定入の情報が記憶されている場合、画像上には、それぞれ「固定切」、「ＢＳ固定」、「ＣＳ固定」の文字が表示される。また、ＯＳＤバッファに、ＣＳ固定入およびＢＳ固定入の情報が記憶されている場合、画像上には、「ＣＳ・ＢＳ固定」の文字が表示される。
【０１１５】
次に、ステップＳＴ９０で、タイマが５秒を経過したか否かを判定する。５秒を経過していないときは、ステップＳＴ９１で、固定キーの押し下げがあるか否かを判定する。固定キーの押し下げがないときは、ステップＳＴ９２で、モニターキーの押し下げがあるか否かを判定する。モニターキーの押し下げがないときは、ステップＳＴ９０に戻る。一方、モニターキーの押し下げがあるときは、ステップＳＴ９３で、タイマ（ＴＭＲ）を０にリセットし、その後にステップＳＴ８３に進む。
【０１１６】
また、上述のステップＳＴ９１で、固有キーの押し下げがあるときは、ステップＳＴ９４で、タイマ（ＴＭＲ）を０にリセットし、その後にステップＳＴ９５に進む。このステップＳＴ９５では、ＣＳ／ＢＳ出力モニター状態にあるか否かを判定する。ＣＳ／ＢＳ出力モニター状態にあるときは、ステップＳＴ９６で、固定入（ＢＳ固定入、ＣＳ固定入の少なくともいずれか）に設定されているか否かを判定する。
【０１１７】
固定入に設定されていないときは、ステップＳＴ９７で、ＣＳ／ＢＳ出力端子部１５１にＣＳ放送に係る信号が出力されているか否かを判定する。ＣＳ放送に係る信号が出力されているときは、ステップＳＴ９８で、ＣＳ固定入、ＢＳ固定切に設定し、ＯＳＤバッファにＣＳ固定入の情報を記憶する。一方、ＣＳ放送に係る信号が出力されていないときは、ステップＳＴ９９で、ＢＳ固定入、ＣＳ固定切に設定し、ＯＳＤバッファにＢＳ固定入の情報を記憶し、その後にステップＳＴ８９に戻る。
【０１１８】
また、上述のステップＳＴ９５で、ＣＳ／ＢＳ出力モニター状態になく、つまりＣＳ出力モニター状態にあるときは、ステップＳＴ１００で、ＢＳ固定入、ＣＳ固定切に設定されているか否かを判定する。ＢＳ固定入、ＣＳ固定切に設定されていないときは、ステップＳＴ１０１で、固定入（ＢＳ固定切およびＣＳ固定入、またはＢＳ固定入およびＣＳ固定入のいずれか）に設定されているか否かを判定する。固定入に設定されていないときは、ステップＳＴ９８に進み、ＣＳ固定入、ＢＳ固定切に設定し、ＯＳＤバッファにＣＳ固定の情報を記憶する。一方、固定入に設定されているときは、ステップＳＴ１０２に進む。
【０１１９】
このステップＳＴ１０２では、ＣＳ固定入およびＢＳ固定入に設定されているか否かを判定する。ＣＳ固定入およびＢＳ固定入に設定されているときは、ステップＳＴ９９に進み、ＢＳ固定入、ＣＳ固定切に設定し、ＯＳＤバッファにＢＳ固定入の情報を記憶し、その後にステップＳＴ８９に戻る。また、上述のステップＳＴ１００で、ＢＳ固定入、ＣＳ固定切に設定されているときは、ステップＳＴ１０４で、ＣＳ固定入およびＢＳ固定入に設定し、ＯＳＤバッファにＣＳ固定入およびＢＳ固定入の情報を記憶し、その後にステップＳＴ８９に戻る。
【０１２０】
また、上述のステップＳＴ９６で、固定入に設定されているときは、ステップＳＴ１０５で、ＣＳ固定入およびＢＳ固定入に設定されているか否かを判定する。ＣＳ固定入およびＢＳ固定入に設定されているときは、ステップＳＴ９８に進み、ＣＳ固定入、ＢＳ固定切に設定し、ＯＳＤバッファにＣＳ固定入の情報を記憶する。一方、ＣＳ固定入およびＢＳ固定入に設定されていないときは、ステップＳＴ１０６に進む。上述したステップＳＴ１０２で、ＣＳ固定入およびＢＳ固定入に設定されていないときも、このステップＳＴ１０６に進む。
【０１２１】
このステップＳＴ１０６では、固定切に設定し、ＯＳＤバッファに固定切の情報を記憶する。そして、ステップＳＴ１０７で、選択視聴画面がＣＳ放送であるか否かを判定する。選択視聴画面がＣＳ放送であるときは、ステップＳＴ１０８に進む。上述のステップＳＴ９８の処理の後も、ステップＳＴ１０８に進む。
【０１２２】
ステップＳＴ１０８では、入力切換回路（ＳＷ３）１３３をｇ側（ＣＳ側）に切り換え、その後にステップＳＴ１０９に進む。このステップＳＴ１０９では、入力切換回路（ＳＷ１）１３２をｄ側（ＣＳ側）に切り換え、その後にステップＳＴ８９に戻る。
【０１２３】
また、上述のステップＳＴ１０７で、選択視聴画面がＣＳ放送でないときは、ステップＳＴ１１０で、入力切換回路（ＳＷ３）１３３をｆ側（ＢＳ側）に切り換え、その後にステップＳＴ１１１に進む。このステップＳＴ１１１では、ＣＳ／ＢＳ出力モニター状態にあるか否かを判定する。ＣＳ／ＢＳ出力モニター状態にあるときは、ステップＳＴ１１２で、入力切換回路（ＳＷ１）１３２をｅ側（ＢＳ側）に切り換え、その後にステップＳＴ８９に戻る。一方、ＣＳ／ＢＳ出力モニター状態にないときは、直ちにステップＳＴ８９に戻る。
【０１２４】
また、上述のステップＳＴ９０で、タイマが５秒を経過したか否かを判定する。５秒を経過したときは、ステップＳＴ１１３で、上述したステップＳＴ８７、ステップＳＴ８９によるＯＳＤ表示をオフし、そしてステップＳＴ１１４で、モニター復帰処理をし（図３のステップＳＴ１６〜ステップＳＴ２０の処理参照）、その後に処理を終了する。
【０１２５】
また、上述したステップＳＴ８３で、選択視聴画面の視聴状態にないときは、ステップＳＴ１１５で、ＣＳ／ＢＳ出力モニター状態にあるか否かを判定する。ＣＳ／ＢＳ出力モニター状態にないとき、つまりＣＳ出力モニター状態にあるときは、ステップＳＴ１１３に進み、選択視聴画面の視聴状態に復帰するための処理をする。一方、ＣＳ／ＢＳ出力モニター状態にあるときは、ステップＳＴ１１６で、受信システム１２３より出力されている映像信号および音声信号をモニタするＣＳ出力モニター状態とし、その後にステップＳＴ８６に進む。
【０１２６】
図１６は、図６、図７のフローチャートに示す制御動作に係る動作例を示している。
【０１２７】
消音オフおよび消画オフの状態にあり、また選択視聴画面として地上波放送（１２チャネル）が選択されている状態にあり、またＢＳ固定入に設定されていてＣＳ／ＢＳ出力端子部１５１にＢＳ放送（９チャネル）に係る映像信号および音声信号が出力されている状態にあり、またＣＳ固定入に設定されていてＣＳディジタル放送受信システム１２３は２０１チャネルの受信状態にあり、さらにＢＳ電源オン、ＣＳパワーオンモードの状態にあるとき、モニターキーの押し下げがあると、ＣＳ／ＢＳ出力端子部１５１に出力されているＢＳ放送（９チャネル）のモニター状態となる。
【０１２８】
つまり、入力切換回路１３２がｅ側に切り換えられ、表示部１３５にＢＳ放送（９チャネル）に係る画像が表示され、音声出力部１３７よりＢＳ放送（９チャネル）に係る音声が出力される。そしてこの場合、ＯＳＤ処理回路１４１より、ＣＳ／ＢＳ出力端子部１５１にＢＳ放送（９チャネル）に係る映像信号および音声信号が出力されていること、およびＢＳ放送（９チャネル）、ＣＳ放送（２０１チャネル）の固定状態にあることを表示するための文字表示信号ＳＣＨが発生されて映像処理部１３４に供給される。これにより、表示部１３５に表示される画像上には、例えば「CS/BS OUT BS9」、「CS201・BS9 固定」の文字が表示される。
【０１２９】
また、このＣＳ／ＢＳ出力モニター状態で、５秒が経過する前に、固定キーの押し下げがあるときは、ＢＳ固定切に設定され、ＢＳ電源オフの状態となる。このとき、入力切換回路１３３がｇ側に切り換えられ、ＣＳ／ＢＳ出力端子部１５１にはＣＳ放送（２０１チャネル）に係る映像信号および音声信号が出力される。またこのとき、入力切換回路１３２がｄ側に切り換えられ、表示部１３５にＣＳ放送（２０１チャネル）に係る画像が表示され、音声出力部１３７よりＣＳ放送（２０１チャネル）に係る音声が出力される。
【０１３０】
そしてこの場合、ＯＳＤ処理回路１４１より、ＣＳ／ＢＳ出力端子部１５１にＣＳ放送（２０１チャネル）に係る映像信号および音声信号が出力されていること、およびＣＳ放送（２０１チャネル）の固定状態にあることを表示するための文字表示信号ＳＣＨが発生されて映像処理部１３４に供給される。これにより、表示部１３５に表示される画像上には、例えば「CS/BS OUT CS201」、「CS201 固定」の文字が表示される。
【０１３１】
また、このＣＳ／ＢＳ出力モニター状態で、５秒が経過する前に、モニターキーの押し下げがあるときは、ＣＳディジタル放送受信システム１２３より出力されるＣＳ放送（２０１チャネル）のモニター状態となる。この場合、入力切換回路１３２がｄ側に切り換えられ、表示部１３５にＣＳ放送（２０１チャネル）に係る画像が表示され、音声出力部１３７よりＣＳ放送（２０１チャネル）に係る音声が出力される状態が続く。
【０１３２】
そしてこの場合、ＯＳＤ処理回路１４１より、受信システム１２３が２０１チャネルの受信状態にあること、およびおよびＣＳ放送（２０１チャネル）の固定状態にあることを表示するための文字表示信号ＳＣＨが発生されて映像処理部１３４に供給される。これにより、表示部１３５に表示される画像上には、例えば「CS OUT CS201」、「CS201 固定」の文字が表示される。
【０１３３】
また、このＣＳ出力モニター状態で、５秒が経過する前に、固定キーの押し下げがあるときは、ＣＳ固定切に設定され、ＣＳパワーオフモードとなる。そのため、表示部１３５に画像は表示されず、また音声出力部１３７より音声は出力されない。またこのとき、ＢＳ電源オンの状態とされ、ＣＳ／ＢＳ出力端子部１５１には、ＢＳ放送に係る信号が出力される。
【０１３４】
そしてこの場合、ＯＳＤ処理回路１４１より、ＣＳパワーオフモードにあって受信システム１２３の出力がないこと、および固定切（ ＢＳ固定切およびＣＳ固定切）にあることを表示するための文字表示信号ＳＣＨが発生されて映像処理部１３４に供給される。これにより、表示部１３５には、例えば「CS OUT ____」、「固定切」の文字が表示される。
【０１３５】
また、この状態で、５秒が経過すると、元の視聴状態に戻る。つまり、入力切換回路１３２がｃ側に切り換えられ、表示部１３５には地上波放送（１２チャネル）に係る画像が表示され、音声出力部１３７より地上波放送（１２チャネル）に係る音声が出力される。ただし、ＢＳ固定切、ＣＳ固定切となり、またＣＳパワーオフモードとなる。
【０１３６】
また、図１７は、図６、図７のフローチャートに示す制御動作に係る他の動作例を示している。
【０１３７】
消音オフおよび消画オフの状態にあり、また選択視聴画面として地上波放送（１２チャネル）が選択されている状態にあり、またＢＳ電源オンの状態にあると共にＢＳ固定入に設定されていてＣＳ／ＢＳ出力端子部１５１にＢＳ放送（９チャネル）に係る映像信号および音声信号が出力されている状態にあり、さらにＣＳパワーオフモードの状態にあるとき、モニターキーの押し下げがあると、ＣＳ／ＢＳ出力端子部１５１に出力されているＢＳ放送（９チャネル）のモニター状態となる。
【０１３８】
つまり、入力切換回路１３２がｅ側に切り換えられ、表示部１３５にＢＳ放送（９チャネル）に係る画像が表示され、音声出力部１３７よりＢＳ放送（９チャネル）に係る音声が出力される。そしてこの場合、ＯＳＤ処理回路１４１より、ＣＳ／ＢＳ出力端子部１５１にＢＳ放送（９チャネル）に係る映像信号および音声信号が出力されていること、およびＢＳ放送（９チャネル）の固定状態にあることを表示するための文字表示信号ＳＣＨが発生されて映像処理部１３４に供給される。これにより、表示部１３５に表示される画像上には、例えば「CS/BS OUT BS9」、「BS9 固定」の文字が表示される。
【０１３９】
また、このＣＳ／ＢＳ出力モニター状態で、５秒が経過する前に、モニターキーの押し下げがあると、ＣＳディジタル放送受信システム１２３の出力モニター状態となる。この場合、入力切換回路１３２がｄ側に切り換えられるが、ＣＳパワーオフモードの状態にあるため、表示部１３５に画像は表示されず、また音声出力部１３７より音声は出力されない。
【０１４０】
そしてこの場合、ＯＳＤ処理回路１４１より、ＣＳパワーオフモードにあって受信システム１２３の出力がないことを表示するための文字表示信号ＳＣＨが発生されて映像処理部１３４に供給される。これにより、表示部１３５には、例えば「CS OUT ____」の文字が表示される。
【０１４１】
また、このＣＳ出力モニター状態で、５秒が経過する前に、固定キーの押し下げがあると、ＢＳ固定入の他に、さらにＣＳパワーオンモードとされてＣＳ固定入に設定される。この場合、入力切換回路１３２はｄ側に切り換えられたままにあり、表示部１３５にＣＳ放送（２０１チャネル）に係る画像が表示され、音声出力部１３７よりＣＳ放送（２０１チャネル）に係る音声が出力される。
【０１４２】
そしてこの場合、ＯＳＤ処理回路１４１より、受信システム１２３が２０１チャネルの受信状態にあること、およびＢＳ放送（９チャネル）、ＣＳ放送（２０１チャネル）の固定状態にあることを表示するための文字表示信号ＳＣＨが発生されて映像処理部１３４に供給される。これにより、表示部１３５に表示される画像上には、例えば「CS OUT CS201」、「CS201・BS9 固定」の文字が表示される。
【０１４３】
また、このＣＳ出力モニター状態で、５秒が経過すると、元の視聴状態に戻る。つまり、入力切換回路１３２がｃ側に切り換えられ、表示部１３５には地上波放送（１２チャネル）に係る画像が表示され、音声出力部１３７より地上波放送（１２チャネル）に係る音声が出力される。ただし、ＢＳ固定入およびＣＳ固定入となり、またＣＳパワーオンモードとなる。
【０１４４】
また、図１８は、図６、図７のフローチャートに示す制御動作に係るさらに他の動作例を示している。
【０１４５】
消音オフおよび消画オフの状態にあり、また選択視聴画面として地上波放送（１２チャネル）が選択されている状態にあり、またＢＳ電源オンの状態にあると共にＢＳ固定入に設定されていてＣＳ／ＢＳ出力端子部１５１にＢＳ放送（９チャネル）に係る映像信号および音声信号が出力されている状態にあり、さらにＣＳパワーオンモードの状態にあってＣＳ固定入に設定されているとき、モニターキーの押し下げがあると、ＣＳ／ＢＳ出力端子部１５１に出力されているＢＳ放送（９チャネル）のモニター状態となる。
【０１４６】
つまり、入力切換回路１３２がｅ側に切り換えられ、表示部１３５にＢＳ放送（９チャネル）に係る画像が表示され、音声出力部１３７よりＢＳ放送（９チャネル）に係る音声が出力される。そしてこの場合、ＯＳＤ処理回路１４１より、ＣＳ／ＢＳ出力端子部１５１にＢＳ放送（９チャネル）に係る映像信号および音声信号が出力されていること、ＣＳ放送（２０１チャネル）およびＢＳ放送（９チャネル）の固定状態にあることを表示するための文字表示信号ＳＣＨが発生されて映像処理部１３４に供給される。これにより、表示部１３５に表示される画像上には、例えば「CS/BS OUT BS9」、「CS201,BS9 固定」の文字が表示される。
【０１４７】
また、このＣＳ／ＢＳ出力モニター状態で、５秒が経過する前に、モニターキーの押し下げがあると、ＣＳディジタル放送受信システム１２３の出力モニター状態となる。この場合、入力切換回路１３２がｄ側に切り換えられ、表示部１３５にＣＳ放送（２０１チャネル）に係る画像が表示され、音声出力部１３７よりＣＳ放送（２０１チャネル）に係る音声が出力される。
【０１４８】
そしてこの場合、ＯＳＤ処理回路１４１より、受信システム１２３が２０１チャネルの受信状態にあること、およびＢＳ放送（９チャネル）、ＣＳ放送（２０１チャネル）の固定状態にあることを表示するための文字表示信号ＳＣＨが発生されて映像処理部１３４に供給される。これにより、表示部１３５に表示される画像上には、例えば「CS OUT CS201」、「CS201・BS9 固定」の文字が表示される。
【０１４９】
また、このＣＳ出力モニター状態で、５秒が経過する前に、固定キーの押し下げがあると、ＣＳ固定切およびＣＳ固定切に設定され、ＣＳパワーオフモードとなる。そのため、表示部１３５に画像は表示されず、また音声出力部１３７より音声は出力されない。
【０１５０】
そしてこの場合、ＯＳＤ処理回路１４１より、ＣＳパワーオフモードにあって受信システム１２３の出力がないこと、およびＢＳ放送（９チャネル）の固定状態にあることを表示するための文字表示信号ＳＣＨが発生されて映像処理部１３４に供給される。これにより、表示部１３５には、例えば「CS OUT ____」、「BS9 固定」の文字が表示される。
【０１５１】
また、このＣＳ出力モニター状態で、５秒が経過すると、元の視聴状態に戻る。つまり、入力切換回路１３２がｃ側に切り換えられ、表示部１３５には地上波放送（１２チャネル）に係る画像が表示され、音声出力部１３７より地上波放送（１２チャネル）に係る音声が出力される。ただし、ＣＳパワーオフモードとなる。
【０１５２】
次に、図８のフローチャートの制御動作を説明する。
メイン電源がオンとなると、ステップＳＴ１２１で、モニターキーの押し下げがあるか否かを判定する。モニタキーの押し下げがあるときは、ステップＳＴ１２２で、モニターメモリ処理（図３のステップＳＴ２〜ステップＳＴ９参照）をし、その後にステップＳＴ１２３に進む。
【０１５３】
このステップＳＴ１２３では、選択視聴画面の視聴状態にあるか否かを判定する。選択視聴画面の視聴状態にあるときは、ステップＳＴ１２４で、ＣＳ／ＢＳ出力端子部１５１に出力されている映像信号および音声信号のモニター状態（ＣＳ／ＢＳ出力モニター状態）とし、その後にステップＳＴ１２５に進む。
【０１５４】
このステップＳＴ１２５では、予約スタンバイ機能によって、消去回路１５２がオン状態にあるか否かを判定する。消去回路１５２がオン状態にないときは、ステップＳＴ１２６に進む。このステップＳＴ１２６では、ＣＳ／ＢＳ出力端子部１５１にＣＳ放送に係る信号が出力されているか否かを判定する。ＣＳ放送に係る信号が出力されているときは、ステップＳＴ１２７で、入力切換回路（ＳＷ１）１３２をｄ側（ＣＳ側）に切り換え、その後にステップＳＴ１２８に進む。一方、ＣＳ放送に係る信号が出力されていないときは、ステップＳＴ１２９で、入力切換回路（ＳＷ１）１３２をｅ側（ＢＳ側）に切り換え、その後にステップＳＴ１２８に進む。なお、ステップＳＴ１２９では、Ｂブロックに電源を供給して、モジュール１１６を動作状態とする。
【０１５５】
ステップＳＴ１２８では、消音オフ、消画オフとして、モニター状態とする。この場合、ＣＳ／ＢＳのモニター状態にあるときは、ＯＳＤ処理回路１４１より、ＣＳ／ＢＳ出力端子部１５１に出力されている映像信号および音声信号に係る放送およびチャネルを示すと共に、さらには固定状態を示す文字表示信号ＳＣＨを発生させてＯＳＤ表示をする。一方、ＣＳ出力モニター状態にあるときは、ＯＳＤ処理回路１４１より、ＣＳディジタル放送受信システム１２３の受信チャネルを示すと共に、さらには固定状態を示す文字表示信号ＳＣＨを発生させてＯＳＤ表示をする。
【０１５６】
次に、ステップＳＴ１３０で、タイマが５秒を経過したか否かを判定する。５秒を経過していないときは、ステップＳＴ１３１で、モニターキーの押し下げがあるか否かを判定する。モニターキーの押し下げがあるときは、ステップＳＴ１３２で、タイマを０にリセットして、ステップＳＴ１２３に戻る。モニターキーの押し下げがないときは、ステップＳＴ１３０に戻る。
【０１５７】
また、上述したステップＳＴ１３０で、タイマが５秒を経過したときは、ステップＳＴ１３３で、上述したステップＳＴ１２８および後述するステップＳＴ１４０によるＯＳＤ表示をオフし、その後にステップＳＴ１３４で、消音オフ、消画オフとする。そして、ステップＳＴ１３５で、モニター復帰処理をし（図３のステップＳＴ１６〜ステップＳＴ２０の処理参照）、その後に処理を終了する。
【０１５８】
また、上述のステップＳＴ１２３で、選択視聴画面の視聴状態にないときは、ステップＳＴ１３６で、ＣＳ／ＢＳ出力モニター状態にあるか否かを判定する。ＣＳ／ＢＳ出力モニター状態にないとき、つまりＣＳ出力モニター状態にあるときは、ステップＳＴ１３３に進み、選択視聴画面の視聴状態に復帰するための処理をする。一方、ＣＳ／ＢＳ出力モニター状態にあるときは、ステップＳＴ１３７で、受信システム１２３より出力されている映像信号および音声信号をモニタするＣＳ出力モニター状態とし、その後にステップＳＴ１３８で、後述する「予約スタンバイ入」のＯＳＤ表示をオフし、ステップＳＴ１２７に進む。
【０１５９】
また、上述したステップＳＴ１２５で、消去回路１５２がオン状態にあるときは、ステップＳＴ１３９で、消音オン、消画オンとし、その後にステップＳＴ１４０で、ＯＳＤ処理回路１４１より、「予約スタンバイ入」を表示する文字表示信号ＳＣＨを発生させてＯＳＤ表示をし、その後にステップＳＴ１３０に進む。
【０１６０】
なお、図８のフローチャートにおいて、ステップＳＴ１２２のモニターメモリ処理と、ステップＳＴ１３５のモニター復帰処理との間の処理を、予約スタンバイ表示付・２系統のモニター状態処理と呼ぶ。
【０１６１】
図１９は、図８のフローチャートに示す制御動作に係る動作例を示している。
【０１６２】
消音オフ、消画オフの状態にあり、また選択視聴画面としてＢＳ放送（７チャネル）が選択されている状態にあり、また固定切（ＣＳ固定切、ＢＳ固定切）に設定されていて、ＣＳ／ＢＳ出力端子部１５１にＢＳ放送（７チャネル）に係る映像信号および音声信号が出力される状態にあり、さらに予約スタンバイ機能によって消去回路１５２がオン状態にあるとき、モニターキーの押し下げがあると、ＣＳ／ＢＳ出力端子部１５１のモニター状態となる。
【０１６３】
この場合、消去回路１５２がオン状態にあり、ＣＳ／ＢＳ出力端子部１５１には、ＢＳ放送（７チャネル）に係る映像信号および音声信号は出力されていないため、消音オン、消画オンの状態とされる。そしてこの場合、ＯＳＤ処理回路１４１より、ＣＳ／ＢＳ出力端子部１５１にＢＳ放送（９チャネル）に係る映像信号および音声信号が出力される状態にあること、および固定切の状態にあること、さらに予約スタンバイ入にあることを表示するための文字表示信号ＳＣＨが発生されて映像処理部１３４に供給される。これにより、表示部１３５には、例えば「CS/BS OUT BS7」、「固定切」、「予約スタンバイ入」の文字が表示される。
【０１６４】
また、このＣＳ／ＢＳ出力モニター状態で、５秒が経過する前に、モニターキーの押し下げがあるときは、ＣＳディジタル放送受信システム１２３より出力されるＣＳ放送（２０１チャネル）のモニター状態となり、入力切換回路１３２がｄ側に切り換えられる。しかし、ＣＳ固定に設定されていないため、ＣＳパワーオフモードにあり、画像表示や音声出力はない。そして、この場合、ＯＳＤ処理回路１４１より、ＣＳディジタル放送受信システム１２３からの出力がないこと、および固定切にあることを表示するための文字表示信号ＳＣＨが発生されて映像処理部１３４に供給される。これにより、表示部１３５には、例えば「CS OUT ____」、「固定切」の文字が表示される。
【０１６５】
また、このＣＳ出力モニター状態で、５秒が経過すると、元の視聴状態に戻る。つまり、入力切換回路１３２がｅ側に切り換えられ、表示部１３５にはＢＳ放送（７チャネル）に係る画像が表示され、音声出力部１３７よりＢＳ放送（７チャネル）に係る音声が出力される。
【０１６６】
この図８に示す制御動作によれば、予約スタンバイモードに設定されている場合には、ＣＳ／ＢＳ出力端子部１５１の出力モニター状態で、映像消去回路１４２を動作させて表示部１３５に画像を表示させないものであり、また音量制御回路１４３を制御して音声出力部１３７に音声を出力させないものであり、ユーザは予約スタンバイモードにあることを、容易に認識できる。また同時に、予約スタンバイモードにある旨を表示部１３５にＯＳＤ表示するので、ユーザは、さらに認識が容易となる。
【０１６７】
次に、図９のフローチャートを使用して、ＣＳ、ＢＳ電源の制御動作を説明する。
ステップＳＴ１４１で、選択視聴画面がＣＳ放送であるか否か判定する。選択視聴画面がＣＳ放送であるときは、ステップＳＴ１４２で、フラグCS_POWERを１に設定し、ステップＳＴ１４３で、フラグBS_POWERを０に設定し、その後にステップＳＴ１４４に進む。一方、選択視聴画面がＣＳ放送でないときは、ステップＳＴ１４５で、CS_POWERを０に設定し、ステップＳＴ１４６で、BS_POWERを１に設定し、その後にステップＳＴ１４４に進む。
【０１６８】
ステップＳＴ１４４では、固定入（ＢＳ固定入、ＣＳ固定入の少なくともいずれか）に設定されているか否かを判定する。固定入に設定されているときは、ステップＳＴ１４７で、ＣＳ固定入およびＢＳ固定入に設定されているか否かを判定する。ＣＳ固定入およびＢＳ固定入に設定されているときは、ステップＳＴ１４８で、CS_POWERを１に設定し、ステップＳＴ１４９で、BS_POWERを１に設定し、その後にステップＳＴ１５０に進む。
【０１６９】
上述のステップＳＴ１４７で、ＣＳ固定入およびＢＳ固定入に設定されていないときは、ステップＳＴ１５１で、ＢＳ固定入に設定されているか否かを判定する。ＢＳ固定入に設定されているときは、ステップＳＴ１４９で、BS_POWERを１に設定し、その後にステップＳＴ１５０に進む。一方、ＢＳ固定入に設定されていないとき、つまりＣＳ固定入に設定されているときは、ステップＳＴ１５２で、CS_POWERを１に設定し、その後にステップＳＴ１５０に進む。
【０１７０】
また、上述のステップＳＴ１４４で、固定入に設定されていないときは、ステップＳＴ１５３で、メイン電源オフの状態にあるか否かを判定する。メイン電源オフの状態にあるときは、ステップＳＴ１５４で、CS_POWERを０に設定し、ステップＳＴ１５５で、BS_POWERを０に設定し、その後にステップＳＴ１５０に進む。メイン電源オフの状態にないときは、そのままステップＳＴ１５０に進む。
【０１７１】
ステップＳＴ１５０では、CS_POWER＝１であるか否かを判定する。CS_POWER＝１であるときは、ステップＳＴ１５６で、ＣＳ放送の受信に係るＣＳパワーモードをオンとし、その後にステップＳＴ１５７に進む。一方、CS_POWER＝１でないときは、ＣＳ放送の受信に係るＣＳパワーモードをオフとし、その後にステップＳＴ１５７に進む。
【０１７２】
ステップＳＴ１５７では、BS_POWER＝１であるか否かを判定する。BS_POWER＝１であるときは、ステップＳＴ１５９で、ＢＳ放送の受信に係るＢブロックの電源がオンとなるＢＳ電源オン状態として、処理を終了する。一方、BS_POWER＝１でないときは、ＢＳ放送の受信に係るＢブロックの電源がオフとなるＢＳ電源オフ状態として、処理を終了する。
【０１７３】
この図９に示す制御動作によれば、選択視聴画面の選択や固定入の設定に応じて、ＣＳ放送に係るＣＳパワーモードやＢＳ放送に係るＢブロックの電源のオンオフを制御するものであり、消費電力の低減化を図ることができる。
【０１７４】
次に、図１０のフローチャートの制御動作を説明する。
ステップＳＴ２０１で、モニターキーの押し下げがあるか否かを判定する。モニターキーの押し下げがあるときは、ステップＳＴ２０２で、メイン電源がオン状態にあるか否かを判定する。メイン電源がオン状態にないときは、ステップＳＴ２０３で、接続スイッチ１６３（ＳＷ１１）をオンとして、メイン電源をオン状態とし、そしてステップＳＴ２０４で、視聴画面が安定するまで待ち、その後にステップＳＴ２０５に進む。
【０１７５】
このように、メイン電源をオン状態とする場合であっても、Ｄブロックの電源、ＣＳパワーモード、ＢＳ電源の状態は、メイン電源オフ時のままとする。また、視聴画面が安定するまで待つ時間は、固定あるいは電源オフ時間等に対応して可変する。
【０１７６】
上述したステップＳＴ２０２で、メイン電源がオン状態にあるときは、ステップＳＴ２０６で、フラグＦ-TVを１に設定して、その後にステップＳＴ２０５に進む。このステップＳＴ２０５では、モニターメモリ処理（図３のステップＳＴ２〜ステップＳＴ９参照）をする。その後に、ステップＳＴ２０６で、予約スタンバイ表示付き・２系統のモニター状態処理（図８の参照）をし、ステップＳＴ２０７で、モニター復帰処理（図３のステップＳＴ１６〜ステップＳＴ２０参照）をする。
【０１７７】
そして、ステップＳＴ２０８で、Ｆ-TVが１であるか否かを判定する。Ｆ-TV＝１であるときは、ステップＳＴ２０９で、Ｆ-TVを０とし、処理を終了する。一方、Ｆ-TV＝１でないときは、ステップＳＴ２１０で、メイン電源をオフ状態とし、処理を終了する。
【０１７８】
図２０は、図１０のフローチャートに示す制御動作に係る動作例を示している。
【０１７９】
メイン電源オフの状態にあるとき、モニターキーの押し下げがあると、メイン電源オンの状態となり、ＣＳ／ＢＳ出力モニター状態となる。そして、このＣＳ／ＢＳ出力モニター状態でモニターキーの押し下げがあると、ＣＳ出力モニター状態となる。そして、この状態で、５秒が経過すると、メイン電源がオフとなって、元の状態となる。
【０１８０】
この図１０に示す制御動作によれば、メイン電源オフ時（スタンバイ時）に、モニターキーを押し下げることで、メイン電源オフ時の状態（ＣＳ／ＢＳ出力状態、ＣＳ出力状態）を、電源オンの操作をすることなく、簡易的にモニターすることができる。
【０１８１】
次に、図１１のフローチャートの制御動作を説明する。この図１１のフローチャートは、図８のステップＳＴ１３１，１３２の部分を、破線で示すように、変更したものである。
【０１８２】
ステップＳＴ１３１で、モニターキーの押し下げがないときは、ステップＳＴ２２１で、予約スタンバイ機能によって、消去回路１５２がオン状態にあるか否かを判定する。消去回路１５２がオン状態にないときは、ステップＳＴ２２２で、固定入（ＢＳ固定入、ＣＳ固定入の少なくともいずれか）に設定されているか否かを判定する。ステップＳＴ２２１で、消去回路１５２がオン状態にあるとき、およびステップＳＴ２２２で、固定入に設定されているときは、ステップＳＴ１３０に戻る。
【０１８３】
ステップＳＴ２２２で、固定入に設定されていないときは、ステップＳＴ２２３で、ＣＳ／ＢＳ出力モニター状態にあるか否かを判定する。ＣＳ／ＢＳ出力モニター状態にあるときは、ステップＳＴ２２４で、ＣＳ／ＢＳ出力端子部１５１にＣＳ放送に係る信号が出力されているか否かを判定する。ＣＳ放送に係る信号が出力されているときは、ステップＳＴ２２５で、チャネル切換キーの押し下げがあるか否かを判定する。チャネル切換キーの押し下げがあるときは、ステップＳＴ２２６で、ＣＳ放送のチャネルを切り換え、その後にステップ２２７に進む。一方、チャネル切換キーの押し下げがないときは、直ちにステップＳＴ２２７に進む。
【０１８４】
このステップＳＴ２２７では、入力（放送）切換キーの押し下げがあるか否かを判定する。入力切換キーの押し下げがあるときは、ステップＳＴ２２８で、レジスタＡＶＳＥＬに、ＢＳ放送に係る選択視聴情報を記憶し、ステップＳＴ２２９で、入力切換回路（ＳＷ１）１３２をｅ側（ＢＳ側）に切り換え、さらにステップＳＴ２３０で、入力切換回路（ＳＷ３）１３３をｆ側（ＢＳ側）に切り換え、ステップＳＴ２３０Ａで、タイマ（ＴＭＲ）を０にリセットし、その後にステップＳＴ１３０に戻る。一方、入力切換キーの押し下げがないときは、直ちにステップＳＴ１３０に戻る。
【０１８５】
また、上述したステップＳＴ２２４で、ＣＳ／ＢＳ出力端子部１５１にＣＳ放送に係る信号が出力されていないときは、ステップＳＴ２３１に進む。このステップＳＴ２３１では、チャネル切換キーの押し下げがあるか否かを判定する。チャネル切換キーの押し下げがあるときは、ステップＳＴ２３２で、ＢＳ放送のチャネルを切り換え、その後にステップ２３３に進む。一方、チャネル切換キーの押し下げがないときは、直ちにステップＳＴ２３３に進む。
【０１８６】
このステップＳＴ２３３では、入力（放送）切換キーの押し下げがあるか否かを判定する。入力切換キーの押し下げがあるときは、ステップＳＴ２３４で、レジスタＡＶＳＥＬに、ＣＳ放送に係る選択視聴情報を記憶し、ステップＳＴ２３５で、入力切換回路（ＳＷ１）１３２をｄ側（ＣＳ側）に切り換え、さらにステップＳＴ２３６で、入力切換回路（ＳＷ３）１３３をｇ側（ＣＳ側）に切り換え、ステップＳＴ２３０Ａで、タイマ（ＴＭＲ）を０にリセットし、その後にステップＳＴ１３０に戻る。一方、入力切換キーの押し下げがないときは、直ちにステップＳＴ１３０に戻る。
【０１８７】
また、上述したステップＳＴ２２３で、ＣＳ／ＢＳ出力モニター状態にないとき、つまりＣＳ出力モニター状態にあるときは、ステップＳＴ２３７Ａで、ＣＳ／ＢＳ出力端子部１５１にＣＳ放送に係る信号が出力されているか否かを判定する。ＣＳ放送に係る信号が出力されているときは、ステップＳＴ２３７で、チャネル切換キーの押し下げがあるか否かを判定する。チャネル切換キーの押し下げがあるときは、ステップＳＴ２３８で、ＣＳ放送のチャネルを切り換え、ステップＳＴ２３０Ａで、タイマ（ＴＭＲ）を０にリセットし、その後にステップＳＴ１３０に戻る。一方、チャネル切換キーの押し下げがないときは、直ちにステップＳＴ１３０に戻る。また、上述したステップＳＴ２３７Ａで、ＣＳ／ＢＳ出力端子部１５１にＣＳ放送に係る信号が出力されていないときは、直ちにステップＳＴ１３０に戻る。その他のステップは、図８に示すと同様とされている。
【０１８８】
図２１は、図１１のフローチャートに示す制御動作に係る動作例を示している。
【０１８９】
消音オフ、消画オフの状態にあり、また選択視聴画面としてＢＳ放送（７チャネル）が選択されている状態にあり、また固定切（ＣＳ固定切、ＢＳ固定切）に設定されていて、ＣＳ／ＢＳ出力端子部１５１にＢＳ放送（７チャネル）に係る映像信号および音声信号が出力されている状態にあり、さらに予約スタンバイ機能によって消去回路１５２がオフ状態にあり、この状態から選択視聴画面としてＣＳ放送（２０１チャネル）が選択されるものとする。
【０１９０】
この場合、入力切換回路（ＳＷ１）１３２はｄ側に切り換えられる。これにより、表示部１３５にはＣＳ放送（２０１チャネル）に係る画像が表示され、音声出力部１３７よりＣＳ放送（２０１チャネル）に係る音声が出力される。またこの場合、入力切換回路（ＳＷ３）１３３がｇ側に切り換えられ、ＣＳ／ＢＳ出力端子部１５１にＣＳ放送（２０１チャネル）に係る映像信号および音声信号が出力される。
【０１９１】
この状態で、モニターキーの押し下げがあると、ＣＳ／ＢＳ出力端子部１５１のモニター状態となる。この場合、入力切換回路（ＳＷ１）１３２はｄ側のままであり、表示部１３５にはＣＳ放送（２０１チャネル）に係る画像が表示され、音声出力部１３７よりＣＳ放送（２０１チャネル）に係る音声が出力される。また、ＯＳＤ処理回路１４１より、ＣＳ／ＢＳ出力端子部１５１にＣＳ放送（２０１チャネル）に係る映像信号および音声信号が出力されていること、および固定切の状態にあることを表示するための文字表示信号ＳＣＨが発生されて映像処理部１３４に供給される。これにより、表示部１３５には、画像上に、例えば「CS/BS OUT CS201」、「固定切」の文字が表示される。
【０１９２】
このＣＳ／ＢＳ出力モニター状態で、５秒が経過する前に、入力切換キーの押し下げがあるときは、選択視聴画面としてＢＳ放送（７チャネル）が選択される。この場合、入力切換回路（ＳＷ１）１３２がｅ側に切り換えられ、表示部１３５にはＢＳ放送（７チャネル）に係る画像が表示され、音声出力部１３７よりＢＳ放送（７チャネル）に係る音声が出力される。
【０１９３】
また、入力切換回路（ＳＷ３）１３３がｆ側に接続され、ＣＳ／ＢＳ出力端子部１５１にＢＳ放送（７チャネル）に係る映像信号および音声信号が出力される。さらに、ＯＳＤ処理回路１４１より、ＣＳ／ＢＳ出力端子部１５１にＢＳ放送（７チャネル）に係る映像信号および音声信号が出力されていること、および固定切の状態にあることを表示するための文字表示信号ＳＣＨが発生されて映像処理部１３４に供給される。これにより、表示部１３５には、画像上に、例えば「CS/BS OUT BS7」、「固定切」の文字が表示される。また、この場合、ＣＳパワーオフモードとなる。
【０１９４】
また、このＣＳ／ＢＳ出力モニター状態で、５秒が経過する前に、モニターキーの押し下げがあるときは、ＣＳディジタル放送受信システム１２３の出力モニター状態となり、入力切換回路（ＳＷ１）１３２がｄ側に切り換えられる。しかし、ＣＳ固定に設定されていないため、ＣＳパワーオフモードにあり、画像表示や音声出力はない。そして、この場合、ＯＳＤ処理回路１４１より、ＣＳディジタル放送受信システム１２３からの出力がないこと、および固定切にあることを表示するための文字表示信号ＳＣＨが発生されて映像処理部１３４に供給される。これにより、表示部１３５には、例えば「CS OUT ____」、「固定切」の文字が表示される。
【０１９５】
また、このＣＳ出力モニター状態で、５秒が経過すると、上述したように、ＣＳ／ＢＳ出力モニター状態で、入力切換キーの押し下げにより、ＢＳ放送（７チャネル）が選択視聴画面として選択されたので、この場合、入力切換回路（ＳＷ１）１３２がｅ側に切り換えられ、表示部１３５にはＢＳ放送（７チャネル）に係る画像が表示され、音声出力部１３７よりＢＳ放送（７チャネル）に係る音声が出力される。
【０１９６】
図２２も、図１１のフローチャートに示す制御動作に係る動作例を示している。
【０１９７】
消音オフ、消画オフの状態にあり、また選択視聴画面として地上波放送（１２チャネル）が選択されている状態にあり、また固定切（ＣＳ固定切、ＢＳ固定切）に設定されていて、ＣＳ／ＢＳ出力端子部１５１にＢＳ放送（７チャネル）に係る映像信号および音声信号が出力されている状態にあり、さらに予約スタンバイ機能によって消去回路１５２がオフ状態にあるとき、モニターキーの押し下げがあると、ＣＳ／ＢＳ出力端子部１５１のモニター状態となる。
【０１９８】
この場合、入力切換回路（ＳＷ１）１３２がｅ側に切り換えられ、表示部１３５にはＢＳ放送（７チャネル）に係る画像が表示され、音声出力部１３７よりＢＳ放送（７チャネル）に係る音声が出力される。また、ＯＳＤ処理回路１４１より、ＣＳ／ＢＳ出力端子部１５１にＢＳ放送（７チャネル）に係る映像信号および音声信号が出力されていること、および固定切の状態にあることを表示するための文字表示信号ＳＣＨが発生されて映像処理部１３４に供給される。これにより、表示部１３５には、画像上に、例えば「CS/BS OUT BS7」、「固定切」の文字が表示される。
【０１９９】
このＣＳ／ＢＳ出力モニター状態で、５秒が経過する前に、チャネル切換キーの押し下げがあると、ＢＳ放送のチャネルが、例えば９チャネルに切り換えられる。この場合、表示部１３５にはＢＳ放送（９チャネル）に係る画像が表示され、音声出力部１３７よりＢＳ放送（９チャネル）に係る音声が出力される。また、ＣＳ／ＢＳ出力端子部１５１にＢＳ放送（９チャネル）に係る映像信号および音声信号が出力される。さらに、ＯＳＤ処理回路１４１より、ＣＳ／ＢＳ出力端子部１５１にＢＳ放送（９チャネル）に係る映像信号および音声信号が出力されていること、および固定切の状態にあることを表示するための文字表示信号ＳＣＨが発生されて映像処理部１３４に供給される。これにより、表示部１３５には、画像上に、例えば「CS/BS OUT BS9」、「固定切」の文字が表示される。
【０２００】
また、この状態で、５秒が経過すると、モニター状態になる前の視聴状態に自動的に戻る。つまり、入力切換回路（ＳＷ１）１３２がｃ側に切り換えられ、表示部１３５には地上波放送（１２チャネル）に係る画像が表示され、音声出力部１３７より地上波放送（１２チャネル）に係る音声が出力される。
【０２０１】
この図１１に示す制御動作によれば、ＣＳ／ＢＳ出力モニター状態やＣＳ出力モニター状態で、固定切に設定されている場合には、チャネル切換キーを操作することで、チャネル切り換えを行うことができる。例えば、モニター状態前が地上波の視聴状態にあるときは、モニター状態で、ＣＳ／ＢＳ出力端子部１５１に出力されるＢＳ放送のチャネルを切り換えることができる。これにより例えば、地上波放送を視聴しながら、モニター状態としてＢＳチャネルを切り換えることができ、そして５秒後に自動的に地上波の視聴状態に戻る。また例えば、入力切換キーでＣＳ放送とＢＳ放送を切り換えることもできる。なお、予約スタンバイ機能によって、消去回路１５２がオン状態にあるときは、チャネル切り換えや放送切り換えは不可能である。
【０２０２】
次に、図２３のフローチャートを使用して、簡単予約録画のための制御部１０１の制御動作を説明する。
【０２０３】
ステップＳＴ３０１で、接続スイッチ（ＳＷ１１）１６３をオンとし、メイン電源オンの状態とする。次に、ステップＳＴ３０２で、ＣＳパワーオンモードまたはＢＳ電源オン、およびＤブロックの電源オン状態とする。この場合、ＣＳ／ＢＳ出力端子部１５１には、ＢＳ放送またはＣＳ放送の映像信号および音声信号が出力されている。
【０２０４】
次に、ステップＳＴ３０３で、予約スタンバイキーの長押し（例えば、１秒以上の押し下げ継続）があるか否かを判定する。予約スタンバイキーの長押しがあるときは、ステップＳＴ３０４で、予約スタンバイモード切の状態にあるか否かを判定する。予約スタンバイモード切の状態にあるときは、ステップＳＴ３０５に進み、予約スタンバイモード入の状態にあるときは、ステップＳＴ３０６に進む。
【０２０５】
ステップＳＴ３０６では、予約スタンバイモード切に設定し、消去回路１５２をオフ状態として、ステップＳＴ３０３に戻る。消去回路１５２がオフ状態にあるとき、ＣＳ／ＢＳ出力端子部１５１には、ＢＳ放送またはＣＳ放送の映像信号および音声信号が出力されている。また、ステップＳＴ３０５では、ＣＳ放送またはＢＳ放送の番組予約があるか否かを判定する。番組予約がないときは、ステップＳＴ３０３に戻る。一方、番組予約があるときは、ステップＳＴ３０７に進む。
【０２０６】
このステップＳＴ３０７では、予約スタンバイモード入に設定し、消去回路１５２をオン状態とする。消去回路１５２がオン状態にあるとき、ＣＳ／ＢＳ出力端子部１５１には、ＢＳ放送またはＣＳ放送の映像信号および音声信号は出力されない。これにより、ＣＳ／ＢＳ出力端子部１５１に接続されるＶＣＲ（Video Cassette Recorder）は、簡単予約録画のスタンバイ状態となる。
【０２０７】
ステップＳＴ３０７の処理の後に、ステップＳＴ３０８で、予約開始時刻になったか否かを判定する。予約開始時刻になったときは、ステップＳＴ３０９に進む。このステップＳＴ３０９では、モジュール１１６、受信システム１２３、入力切換回路１３３等を制御して、予約番組の映像信号および音声信号がＣＳ／ＢＳ出力端子部１５１に出力可能な状態とすると共に、消去回路１５２をオフ状態とする。これにより、ＣＳ／ＢＳ出力端子部１５１には、予約番組の映像信号および音声信号が出力される。そして、このＣＳ／ＢＳ出力端子部１５１に接続されるＶＣＲは、録画を開始する。
【０２０８】
次に、ステップＳＴ３１０で、予約終了時刻になったか否かを判定する。予約終了時刻になったときは、ステップＳＴ３１１に進む。このステップＳＴ３１１では、消去回路１５２をオン状態とする。これにより、ＣＳ／ＢＳ出力端子部１５１には、映像信号および音声信号が出力されなくなる。これにより、ＣＳ／ＢＳ出力端子部１５１に接続されるＶＣＲは、録画スタンバイ状態となる。このステップＳＴ３１１の処理の後に、ステップＳＴ３０３に戻る。
【０２０９】
図２５Ｂは、図２３に示す制御動作の動作例を示している。ＣＳ／ＢＳ出力端子部１５１にＢＳ放送（７チャネル）の信号が出力されている状態（ＬＥＤ１０７が点灯）で、予約スタンバイキーの長押しがあると、予約スタンバイモード入に設定され、消去回路１５２がオン状態となり、ＣＳ／ＢＳ出力端子部１５１に信号が出力されない状態（ＬＥＤ１０６，１０７消灯）となる。これにより、ＣＳ／ＢＳ出力端子部１５１に接続されるＶＣＲは録画スタンバイ状態となる。
【０２１０】
この状態で、ＣＳ予約番組の開始時刻になると、ＣＳ予約番組の受信状態となると共に、消去回路１５２がオフ状態となり、ＣＳ／ＢＳ出力端子部１５１にＣＳ予約番組の信号が出力される状態（ＬＥＤ１０６点灯）となる。これにより、ＶＣＲで録画が開始される。
【０２１１】
この状態で、ＣＳ予約番組の終了時刻になると、消去回路１５２がオン状態となり、ＣＳ／ＢＳ出力端子部１５１に信号が出力されない状態（ＬＥＤ１０６，１０７消灯）となる。これにより、ＶＣＲは録画を停止し、録画スタンバイ状態となる。
【０２１２】
この状態で、予約スタンバイキーの長押しがあると、予約スタンバイモード切に設定され、消去回路１５２がオフ状態となり、ＣＳ／ＢＳ出力端子部１５１に信号が出力される状態となる。
【０２１３】
なお、図２５Ａは、従来の簡単予約録画の動作例を示している。ＣＳ／ＢＳ出力端子部にＢＳ放送（７チャネル）の信号が出力されている状態で、メイン電源がオフとされると、ＣＳ／ＢＳ出力端子部に信号が出力されない状態となる。これにより、ＣＳ／ＢＳ出力端子部に接続されるＶＣＲは録画スタンバイ状態となる。
【０２１４】
この状態で、ＣＳ予約番組の開始時刻になると、メイン電源がオンされると共に予約番組の受信状態となり、ＣＳ／ＢＳ出力端子部にＣＳ予約番組の信号が出力される状態となる。これにより、ＶＣＲで録画が開始される。この状態で、予約番組の終了時刻になると、メイン電源がオフとされ、ＣＳ／ＢＳ出力端子部に信号が出力されない状態となる。これにより、ＶＣＲは録画を停止し、録画スタンバイ状態となる。そして、この状態で、メイン電源がオンとされると、ＣＳ／ＢＳ出力端子部に信号が出力される状態となる。
【０２１５】
次に、図２４のフローチャートを使用して、簡単予約録画のための制御部１０１の他の制御動作を説明する。上述した図２３における制御動作はユーザが予約スタンバイキーの長押しをすることで、消去回路１５２がオン状態となって予約スタンバイ状態となるものであるが、この図２４における制御動作はユーザが自動スタンバイモード入に設定することで、消去回路１５２がオン状態となって予約スタンバイ状態となるものである。
【０２１６】
ステップＳＴ４０１で、接続スイッチ（ＳＷ１１）１６３をオンとし、メイン電源オンの状態とする。次に、ステップＳＴ４０２で、ＣＳパワーオンモードまたはＢＳ電源オン、およびＤブロックの電源オン状態とする。この場合、ＣＳ／ＢＳ出力端子部１５１には、ＢＳ放送またはＣＳ放送の映像信号および音声信号が出力されている。
【０２１７】
次に、ステップＳＴ４０３で、自動スタンバイモード入にあるか否かを判定する。自動スタンバイモード入にあるときは、ステップＳＴ４０４に進み、自動スタンバイモード切にあるときは、ステップＳＴ４０５に進む。
【０２１８】
ステップＳＴ４０５では、消去回路１５２をオフ状態として、ステップＳＴ４０３に戻る。消去回路１５２がオフ状態にあるとき、ＣＳ／ＢＳ出力端子部１５１には、ＢＳ放送またはＣＳ放送の映像信号および音声信号が出力されている。また、ステップＳＴ４０４では、ＣＳ放送またはＢＳ放送の番組予約があるか否かを判定する。番組予約がないときは、ステップＳＴ４０３に戻る。一方、番組予約があるときは、ステップＳＴ４０６に進む。
【０２１９】
このステップＳＴ４０６では、消去回路１５２をオン状態とする。消去回路１５２がオン状態にあるとき、ＣＳ／ＢＳ出力端子部１５１には、ＢＳ放送またはＣＳ放送の映像信号および音声信号は出力されない。これにより、ＣＳ／ＢＳ出力端子部１５１に接続されるＶＣＲは、簡単予約録画のスタンバイ状態となる。
【０２２０】
ステップＳＴ４０６の処理の後に、ステップＳＴ４０７で、予約開始時刻になったか否かを判定する。予約開始時刻になったときは、ステップＳＴ４０８に進む。このステップＳＴ４０８では、モジュール１１６、受信システム１２３、入力切換回路１３３等を制御して、予約番組の映像信号および音声信号がＣＳ／ＢＳ出力端子部１５１に出力可能な状態とすると共に、消去回路１５２をオフ状態とする。これにより、ＣＳ／ＢＳ出力端子部１５１には、予約番組の映像信号および音声信号が出力される。そして、このＣＳ／ＢＳ出力端子部１５１に接続されるＶＣＲは、録画を開始する。
【０２２１】
次に、ステップＳＴ４０９で、予約終了時刻になったか否かを判定する。予約終了時刻になったときは、ステップＳＴ４１０に進む。このステップＳＴ４１０では、消去回路１５２をオン状態とする。これにより、ＣＳ／ＢＳ出力端子部１５１には、映像信号および音声信号が出力されなくなる。これにより、ＣＳ／ＢＳ出力端子部１５１に接続されるＶＣＲは、録画スタンバイ状態となる。このステップＳＴ４１０の処理の後に、ステップＳＴ４０３に戻る。
【０２２２】
図２５Ｃは、図２４に示す制御動作の動作例を示している。ＣＳ／ＢＳ出力端子部１５１にＢＳ放送（７チャネル）の信号が出力されている状態（ＬＥＤ１０７が点灯）で、自動スタンバイモード入の設定があると、消去回路１５２がオン状態となり、ＣＳ／ＢＳ出力端子部１５１に信号が出力されない状態（ＬＥＤ１０６，１０７消灯）となる。これにより、ＣＳ／ＢＳ出力端子部１５１に接続されるＶＣＲは録画スタンバイ状態となる。
【０２２３】
この状態で、ＣＳ予約番組の開始時刻になると、ＣＳ予約番組の受信状態となると共に、消去回路１５２がオフ状態となり、ＣＳ／ＢＳ出力端子部１５１にＣＳ予約番組の信号が出力される状態（ＬＥＤ１０６点灯）となる。これにより、ＶＣＲで録画が開始される。
【０２２４】
この状態で、ＣＳ予約番組の終了時刻になると、消去回路１５２がオン状態となり、ＣＳ／ＢＳ出力端子部１５１に信号が出力されない状態（ＬＥＤ１０６，１０７消灯）となる。これにより、ＶＣＲは録画を停止し、録画スタンバイ状態となる。この状態で、自動スタンバイモード切に設定されると、消去回路１５２がオフ状態となり、ＣＳ／ＢＳ出力端子部１５１に信号が出力される状態となる。
【０２２５】
このように、本実施の形態において、簡単予約録画のスタンバイ状態とする際に、従来のようにメイン電源をオフするものでなく、ＣＳ／ＢＳ出力端子部１５１への出力経路に挿入された消去回路１５２をオン状態とするものである。したがって、簡単予約録画のスタンバイ状態であっても、地上波放送、ＢＳ放送、ＣＳ放送による画像や音声を視聴することができる。
【０２２６】
また、ＣＳ／ＢＳ出力端子部１５１にＣＳ放送の信号が出力されている状態ではＬＥＤ１０６が点灯し、ＣＳ／ＢＳ出力端子部１５１にＢＳ放送の信号が出力されている状態ではＬＥＤ１０７が点灯し、さらに簡単予約録画のスタンバイ状態で、ＣＳ／ＢＳ出力端子部１５１に信号が出力されていないときは、ＬＥＤ１０６，１０７の両方が消灯するものである。したがって、メイン電源をオフ状態としていても、ユーザは、ＣＳ／ＢＳ出力端子部１５１の出力状態を確認できる。この場合、２個のＬＥＤ１０６，１０７を使用するのではなく、２色ＬＥＤを使用し、その発光色によって、ＢＳ放送の信号の出力か、ＣＳ放送の信号の出力かを区別できるようにしてもよい。
【０２２７】
なお、上述実施の形態においては、地上波放送、ＢＳ放送、ＣＳ放送の受信部を持つものを示したが、この発明はその他の放送の受信部をさらに持つテレビ受信機にも同様に適用できることは勿論である。
【０２２８】
【発明の効果】
この発明によれば、モニター操作手段を操作することで、例えば裏録画用の出力端子部の出力状態をモニターする状態となると共に、所定時間後に元の視聴状態に自動的に戻るものであり、ユーザは元の視聴状態に戻すための操作を行う必要がなく、ユーザのモニター時の操作手間を軽減でき、使い勝手が向上する。また、出力モニター状態では、出力端子部に出力されている映像信号および音声信号に係る情報（放送種類、チャネル等）を表示部に表示することで、ユーザは出力端子部の出力状態を、さらに容易に把握可能となる。
【図面の簡単な説明】
【図１】実施の形態としてのテレビ受信機の構成を示すブロック図である。
【図２】メイン電源オン時、オフ時の各部の動作を示す図である。
【図３】制御部の制御動作を示すフローチャートである。
【図４】制御部の制御動作を示すフローチャートである。
【図５】制御部の制御動作を示すフローチャートである。
【図６】制御部の制御動作（１／２）を示すフローチャートである。
【図７】制御部の制御動作（２／２）を示すフローチャートである。
【図８】制御部の制御動作を示すフローチャートである。
【図９】制御部の制御動作を示すフローチャートである。
【図１０】制御部の制御動作を示すフローチャートである。
【図１１】制御部の制御動作を示すフローチャートである。
【図１２】図３のフローチャートに対応する動作例を説明するための図である。
【図１３】図４のフローチャートに対応する動作例を説明するための図である。
【図１４】図４のフローチャートに対応する他の動作例を説明するための図である。
【図１５】図５のフローチャートに対応する動作例を説明するための図である。
【図１６】図６、図７のフローチャートに対応する動作例を説明するための図である。
【図１７】図６、図７のフローチャートに対応する他の動作例を説明するための図である。
【図１８】図６、図７のフローチャートに対応するさらに他の動作例を説明するための図である。
【図１９】図８のフローチャートに対応する動作例を説明するための図である。
【図２０】図１０のフローチャートに対応する動作例を説明するための図である。
【図２１】図１１のフローチャートに対応する動作例を説明するための図である。
【図２２】図１１のフローチャートに対応する動作例を説明するための図である。
【図２３】簡単予約録画のための制御動作を説明するためのフローチャートである。
【図２４】簡単予約録画のための制御動作を説明するためのフローチャートである。
【図２５】簡単予約録画の動作例を説明するための図である。
【符号の説明】
１００・・・テレビ受信機、１０１・・・制御部、１０２・・・時計部、１０３・・・メモリ、１０４・・・操作部、１０５・・・リモコン信号受信部、１０６・・・ＣＳ出力表示用のＬＥＤ、１０７・・・ＢＳ出力表示用のＬＥＤ、１１１・・・地上波放送の受信アンテナ、１１２・・・地上波放送チューナ、１１３・・・中間周波処理部、１１４・・・ＢＳ放送の受信アンテナ、１１５・・・ＢＳ−ＬＳＢ、１１６・・・ＢＳセカンドコンバータモジュール、１１７・・・ＢＳ−ＬＮＢ電源部、１１８・・・入力出力端子部、１１９・・・入力端子部、１２１・・・ＣＳ放送の受信アンテナ、１２２・・・ＣＳ−ＬＮＢ、１２３・・・ＣＳディジタル放送受信システム、１２４・・・モデム、１２５・・・ＩＣカード、１２６・・・カードインタフェース、１２７・・・ＣＳ出力端子部、１３１〜１３３・・・入力切換回路、１３４・・・映像処理部、１３５・・・表示部、１３６・・・音声増幅部、１３７・・・音声出力部、１４１・・・ＯＳＤ処理回路、１４２・・・映像消去回路、１４３・・・音量制御回路、１５１・・・ＣＳ／ＢＳ出力端子部、１５２・・・消去回路、１６１・・・電源プラグ、１６２・・・メイン電源部、１６３・・・接続スイッチ（電源スイッチ），１６５，１６７，１６９・・・接続スイッチ、１６４・・・サブ電源部、１６６・・・ＢＳ電源部、１６８・・・Ｄブロック電源部、ＣＳ／ＣＳ−ＬＮＢ電源部
【図１】
0004501210.tif 000002
【図２】
0004501210.tif 000003
【図３】
0004501210.tif 000004
【図４】
0004501210.tif 000005
【図５】
0004501210.tif 000006
【図６】
0004501210.tif 000007
【図７】
0004501210.tif 000008
【図８】
0004501210.tif 000009
【図９】
0004501210.tif 000010
【図１０】
0004501210.tif 000011
【図１１】
0004501210.tif 000012
【図１２】
0004501210.tif 000013
【図１３】
0004501210.tif 000014
【図１４】
0004501210.tif 000015
【図１５】
0004501210.tif 000016
【図１６】
0004501210.tif 000017
【図１７】
0004501210.tif 000018
【図１８】
0004501210.tif 000019
【図１９】
0004501210.tif 000020
【図２０】
0004501210.tif 000021
【図２１】
0004501210.tif 000022
【図２２】
0004501210.tif 000023
【図２３】
0004501210.tif 000024
【図２４】
0004501210.tif 000025
【図２５】
0004501210.tif 000026